(57)【要約】  本出願の実施形態は、共通制御情報および／またはブロードキャストメッセージを検出するためのセル共通制御参照信号を構成するための方法を提供する。本方法は、基地局が、共通制御情報を送信するのに使用されるアンテナポートの数や使用される時間周波数リソースなどの生成パラメータに基づいて、使用されるセル共通制御参照信号シーケンスと位置とを決定するステップ、を含む。
2019517202.tif 000002
【特許請求の範囲】
【請求項１】
セル制御参照情報を送信するための方法であって、
M個のアンテナポートを有する基地局が、共通制御情報の送信が必要になる前に、前記共通制御情報を検出するのに使用される前記セル制御参照情報を生成するステップと、
前記基地局が、前記共通制御情報と前記セル制御参照情報とをN個のアンテナポートの1つ以上のリソースユニットRUにマップするステップであって、前記N個のアンテナポートが前記M個のアンテナポートの一部である、ステップと、
前記基地局が、前記1つ以上のRUを使用して、前記共通制御情報と前記共通制御情報を検出するのに使用される前記セル制御参照情報とを、前記基地局のカバレッジエリア内のUEに送信するステップと、
を含む、方法。
【請求項２】
基地局が、共通制御情報の送信が必要になる前に、前記共通制御情報を検出するのに使用される前記セル制御参照情報を生成する前記ステップが、前記基地局が、前記共通制御情報の送信が必要になる前に、擬似ランダムシーケンスに基づいてマップされるべきセル制御参照信号シーケンスを生成するステップ、を含む、請求項1に記載の方法。
【請求項３】
前記擬似ランダムシーケンスが以下のように初期設定され：
【数１】
2019517202.tif 000044
、式中、
c（0）が、前記擬似ランダムシーケンスの初期値であり、nsが、前記基地局が前記共通制御情報と前記セル制御参照情報とを送信するときのサブフレームシーケンス番号であり、lが、前記基地局が前記セル参照情報を送信するときのサブフレーム内の前記セル参照情報のシンボルシーケンス番号であり、
【数２】
2019517202.tif 000045
が、前記基地局が位置するセルのIDであり、p1が、前記1つ以上のRUの1つ以上のシーケンス番号であり、p2が、前記N個のアンテナポートのうちのアンテナポートのアンテナポート番号であり、p3が、前記基地局が前記共通制御情報と前記セル制御参照情報を送信するときのフレームシーケンス番号であり、α1、α2、およびα3が、係数である、
請求項2に記載の方法。
【請求項４】
擬似ランダムシーケンスに基づいてマップされるべきセル制御参照信号シーケンスを生成する前記ステップが、前記擬似ランダムシーケンスが初期設定された後、前記マップされるべきセル制御参照信号シーケンスrを以下のように生成するステップであり、
【数３】
2019517202.tif 000046
、式中、
jが、虚数記号であり、c（m）が、前記擬似ランダムシーケンスであり、mが、前記セル制御参照信号が位置する前記RUのサブキャリアシーケンス番号であり、m＝0，1，…，
【数４】
2019517202.tif 000047
であり、xが、前記1つ以上のRUの任意の1つのサブキャリアの数または前記1つ以上のRUの任意の1つで前記セル制御参照信号によって占有されるサブキャリアの数を表し、
【数５】
2019517202.tif 000048
が、前記1つ以上のRUの数を表す、
請求項2または3に記載の方法。
【請求項５】
前記擬似ランダムシーケンスが、Goldシーケンス、mシーケンス、またはZadoff−Chuシーケンスである、請求項2または3に記載の方法。
【請求項６】
前記マップされるべきセル共通参照信号シーケンスを前記N個のアンテナポートの1つ以上のRUにマップするステップが、全部または一部のマップされるべきセル共通参照信号シーケンスを、事前設定マッピングパターンに基づいて前記N個のアンテナポートの前記1つ以上のRUにマップするステップ、を含む、請求項1から5のいずれか一項に記載の方法。
【請求項７】
全部または一部のマップされるべきセル共通参照信号シーケンスを、事前設定マッピングパターンに基づいて前記N個のアンテナポートの前記1つ以上のRUにマップする前記ステップが、全部または一部のマップされるべきセル共通参照信号シーケンスを、以下のパラメータ：前記1つ以上のRUのすべてのリソース要素の数、前記1つ以上のRUで前記セル制御参照情報を送信するのに使用されるすべてのリソース要素の数、前記1つ以上のRUの任意の1つで前記セル制御参照情報を送信するのに使用されるリソース要素の数、および前記1つ以上のRUの任意の1つによって占有されるリソース要素の数、のうちの1つに基づいて前記N個のアンテナポートの前記1つ以上のRUにマップするステップ、を含む、請求項6に記載の方法。
【請求項８】
前記N個のアンテナポートが、事前設定されるか、または前記基地局によって前記M個のアンテナポートの中から選択される、請求項1から7のいずれか一項に記載の方法。
【請求項９】
セル制御参照信号を受信するための方法であって、
UEが、N個のアンテナポートの1つ以上のリソースユニットRU上で基地局によって送信された信号を受信するステップであって、前記信号が、共通制御情報と、前記共通制御情報を検出するのに使用されるセル制御参照情報とを含み、前記N個のアンテナポートが、前記基地局のM個のアンテナポートの一部である、ステップと、
前記UEが、前記共通制御情報を検出するのに使用される前記セル制御参照情報を生成するステップと、
前記UEが、前記UEによって生成された前記セル制御参照情報に基づいて、前記信号から前記共通制御情報を取得するステップと、
を含む、方法。
【請求項１０】
前記UEが、前記共通制御情報を検出するのに使用される前記セル制御参照情報を生成する前記ステップが、前記UEが、擬似ランダムシーケンスに基づいてマップされるべきセル共通参照信号シーケンスを生成するステップ、を含む、請求項9に記載の方法。
【請求項１１】
前記擬似ランダムシーケンスが以下のように初期設定され：
【数６】
2019517202.tif 000049
、式中、
c（0）が、前記擬似ランダムシーケンスの初期値であり、nsが、前記UEが前記信号を受信するときのサブフレームシーケンス番号であり、lが、前記UEが前記信号を受信するときのサブフレーム内の前記セル参照情報のシンボルシーケンス番号であり、
【数７】
2019517202.tif 000050
が、前記UEが位置するセルのIDであり、p1が、前記1つ以上のRUの1つ以上のシーケンス番号であり、p2が、前記N個のアンテナポートのうちのアンテナポートのアンテナポート番号であり、p3が、前記UEが前記信号を受信するときのフレームシーケンス番号であり、α1、α2、およびα3が、係数である、
請求項10に記載の方法。
【請求項１２】
擬似ランダムシーケンスに基づいてマップされるべきセル制御参照信号シーケンスを生成する前記ステップが、前記擬似ランダムシーケンスが初期設定された後、前記マップされるべきセル制御参照信号シーケンスrを以下のように生成するステップであり、
【数８】
2019517202.tif 000051
、式中、
jが、虚数記号であり、c（m）が、前記擬似ランダムシーケンスであり、mが、前記セル制御参照信号が位置する前記RUのサブキャリアシーケンス番号であり、m＝0，1，．．．，
【数９】
2019517202.tif 000052
であり、xが、前記1つ以上のRUの任意の1つのサブキャリアの数または前記1つ以上のRUの任意の1つで前記セル制御参照信号によって占有されるサブキャリアの数を表し、
【数１０】
2019517202.tif 000053
が、前記1つ以上のRUの数を表す、
請求項10または11に記載の方法。
【請求項１３】
前記擬似ランダムシーケンスが、Goldシーケンス、mシーケンス、またはZadoff−Chuシーケンスである、請求項10または11に記載の方法。
【請求項１４】
前記UEが、前記共通制御情報を検出するのに使用される前記セル制御参照情報を生成する前記ステップが、前記UEが、全部または一部のマップされるべきセル共通参照信号シーケンスを、事前設定マッピングパターンに基づいて前記N個のアンテナポートの前記1つ以上のRUにマップするステップ、をさらに含む、請求項9から13のいずれか一項に記載の方法。
【請求項１５】
前記UEが、全部または一部のマップされるべきセル共通参照信号シーケンスを、事前設定マッピングパターンに基づいて前記N個のアンテナポートの前記1つ以上のRUにマップする前記ステップが、前記UEが、全部または一部のマップされるべきセル共通参照信号シーケンスを、以下のパラメータ：前記1つ以上のRUのすべてのリソース要素の数、前記1つ以上のRUで前記セル制御参照情報を送信するのに使用されるすべてのリソース要素の数、前記1つ以上のRUの任意の1つで前記セル制御参照情報を送信するのに使用されるリソース要素の数、および前記1つ以上のRUの任意の1つによって占有されるリソース要素の数、のうちの1つに基づいて前記N個のアンテナポートの前記1つ以上のRUにマップするステップ、を含む、請求項14に記載の方法。
【請求項１６】
セル制御参照情報を送信するための基地局であって、前記基地局が、M個のアンテナポートと、送信機と、プロセッサと、メモリとを含み、
前記メモリが、前記プロセッサが実行することのできるプログラムコードを格納するように構成され、
前記プロセッサが、共通制御情報の送信が必要になる前に、前記メモリに格納された前記プログラムコードに基づいて、前記共通制御情報を検出するのに使用される前記セル制御参照情報を生成し、前記共通制御情報と前記セル制御参照情報とをN個のアンテナポートの1つ以上のリソースユニットRUにマップし、前記N個のアンテナポートが前記M個のアンテナポートの一部である、ように構成され、
前記送信機が、前記1つ以上のRUと前記N個のアンテナポートとを使用して、前記共通制御情報と、前記共通制御情報を検出するのに使用される前記セル制御参照情報とを、前記基地局のカバレッジエリア内のUEに送信するように構成される、
基地局。
【請求項１７】
前記メモリが、擬似ランダムシーケンスを格納するようにさらに構成され、
前記プロセッサが、共通制御情報の送信が必要になる前に、前記メモリに格納された前記プログラムコードに基づいて、前記共通制御情報を検出するのに使用される前記セル制御参照情報を生成する、ように構成されることが、前記プロセッサが、前記共通制御情報の送信が必要になる前に、前記メモリに格納された前記プログラムコードと前記擬似ランダムシーケンスとに基づいて、マップされるべきセル制御参照信号シーケンスを生成すること、を含む、
請求項16に記載の基地局。
【請求項１８】
前記プロセッサが、前記擬似ランダムシーケンスを、前記メモリに格納された前記プログラムコードに基づいて以下のように初期設定するようにさらに構成され、
【数１１】
2019517202.tif 000054
、式中、
c（0）が、前記擬似ランダムシーケンスの初期値であり、nsが、前記基地局が前記共通制御情報と前記セル制御参照情報とを送信するときのサブフレームシーケンス番号であり、lが、前記送信機が前記セル参照情報を送信するときのサブフレーム内の前記セル参照情報のシンボルシーケンス番号であり、
【数１２】
2019517202.tif 000055
が、前記基地局が位置するセルのIDであり、p1が、前記1つ以上のRUの1つ以上のシーケンス番号であり、p2が、前記N個のアンテナポートのうちのアンテナポートのアンテナポート番号であり、p3が、前記基地局が前記共通制御情報と前記セル制御参照情報を送信するときのフレームシーケンス番号であり、α1、α2、およびα3が、係数である、
請求項17に記載の基地局。
【請求項１９】
擬似ランダムシーケンスに基づいてマップされるべきセル制御参照信号シーケンスを生成する前記ことが、前記擬似ランダムシーケンスが初期設定された後、前記マップされるべきセル制御参照信号シーケンスrを以下のように生成することであり、
【数１３】
2019517202.tif 000056
、式中、
jが、虚数記号であり、c（m）が、前記擬似ランダムシーケンスであり、mが、前記セル制御参照信号が位置する前記RUのサブキャリアシーケンス番号であり、m＝0，1，．．．，
【数１４】
2019517202.tif 000057
であり、xが、前記1つ以上のRUの任意の1つのサブキャリアの数または前記1つ以上のRUの任意の1つで前記セル制御参照信号によって占有されるサブキャリアの数を表し、
【数１５】
2019517202.tif 000058
が、前記1つ以上のRUの数を表す、
請求項17または18に記載の基地局。
【請求項２０】
前記擬似ランダムシーケンスが、Goldシーケンス、mシーケンス、またはZadoff−Chuシーケンスである、請求項17または18に記載の基地局。
【請求項２１】
前記セル制御参照情報を、前記N個のアンテナポートの前記1つ以上のリソースユニットRUにマップすることが、全部または一部のマップされるべきセル共通参照信号シーケンスを、事前設定マッピングパターンに基づいて前記N個のアンテナポートの前記1つ以上のRUにマップすること、を含む、請求項16から20のいずれか一項に記載の基地局。
【請求項２２】
全部または一部のマップされるべきセル共通参照信号シーケンスを、事前設定マッピングパターンに基づいて前記N個のアンテナポートの前記1つ以上のRUにマップする前記ことが、全部または一部のマップされるべきセル共通参照信号シーケンスを、以下のパラメータ：前記1つ以上のRUのすべてのリソース要素の数、前記1つ以上のRUで前記セル制御参照情報を送信するのに使用されるすべてのリソース要素の数、前記1つ以上のRUの任意の1つで前記セル制御参照情報を送信するのに使用されるリソース要素の数、および前記1つ以上のRUの任意の1つによって占有されるリソース要素の数、のうちの1つに基づいて前記N個のアンテナポートの前記1つ以上のRUにマップすること、を含む、請求項21に記載の基地局。
【請求項２３】
前記メモリが、前記N個のアンテナポートに関する情報を格納し、または前記プロセッサが、前記M個のアンテナポートの中から前記N個のアンテナポートを選択するようにさらに構成される、請求項16から22のいずれか一項に記載の基地局。
【請求項２４】
セル制御参照情報を受信するためのUEであって、前記UEが、アンテナと、受信機と、プロセッサと、メモリとを含み、
前記受信機が、前記アンテナを使用して、N個のアンテナポートの1つ以上のリソースユニットRU上で基地局によって送信された信号を受信し、前記信号が、共通制御情報と、前記共通制御情報を検出するのに使用されるセル制御参照情報とを含み、前記N個のアンテナポートが、前記基地局のM個のアンテナポートの一部であり、
前記メモリが、前記プロセッサが実行することのできるプログラムコードを格納するように構成され、
前記プロセッサが、前記受信機が前記信号を受信する前に、前記メモリに格納された前記プログラムコードに基づいて、前記共通制御情報を検出するのに使用される前記セル制御参照情報を生成する、ように構成され、
前記プロセッサが、前記プロセッサによって生成された前記セル制御参照情報に基づいて、前記受信機によって受信された前記信号から前記共通制御情報を取得するように構成される、
UE。
【請求項２５】
前記メモリが、擬似ランダムシーケンスを格納するようにさらに構成され、
前記プロセッサが、前記受信機が前記信号を受信する前に、前記メモリに格納された前記プログラムコードに基づいて、前記共通制御情報を検出するのに使用される前記セル制御参照情報を生成する、ように構成されることが、前記プロセッサが、前記受信機が前記信号を受信する前に、前記メモリに格納された前記プログラムコードと前記擬似ランダムシーケンスとに基づいて、マップされるべきセル制御参照信号シーケンスを生成すること、を含む、
請求項24に記載のUE。
【請求項２６】
前記プロセッサが、前記擬似ランダムシーケンスを、前記メモリに格納された前記プログラムコードに基づいて以下のように初期設定するようにさらに構成され、
【数１６】
2019517202.tif 000059
、式中、
c（0）が、前記擬似ランダムシーケンスの初期値であり、nsが、前記受信機が前記信号を受信するときのサブフレームシーケンス番号であり、lが、前記受信機が前記信号を受信するときのサブフレーム内の前記セル参照情報のシンボルシーケンス番号であり、
【数１７】
2019517202.tif 000060
が、前記UEが位置するセルのIDであり、p1が、前記1つ以上のRUの1つ以上のシーケンス番号であり、p2が、前記N個のアンテナポートのうちのアンテナポートのアンテナポート番号であり、p3が、前記受信機が前記信号を受信するときのフレームシーケンス番号であり、α1、α2、およびα3が、係数である、
請求項25に記載のUE。
【請求項２７】
擬似ランダムシーケンスに基づいてマップされるべきセル制御参照信号シーケンスを生成する前記ことが、前記擬似ランダムシーケンスが初期設定された後、前記マップされるべきセル制御参照信号シーケンスrを以下のように生成することであり、
【数１８】
2019517202.tif 000061
、式中、
jが、虚数記号であり、c（m）が、前記擬似ランダムシーケンスであり、mが、前記セル制御参照信号が位置する前記RUのサブキャリアシーケンス番号であり、m＝0，1，．．．，
【数１９】
2019517202.tif 000062
であり、xが、前記1つ以上のRUの任意の1つのサブキャリアの数または前記1つ以上のRUの任意の1つで前記セル制御参照信号によって占有されるサブキャリアの数を表し、
【数２０】
2019517202.tif 000063
が、前記1つ以上のRUの数を表す、
請求項25または26に記載の方法。
【請求項２８】
前記擬似ランダムシーケンスが、Goldシーケンス、mシーケンス、またはZadoff−Chuシーケンスである、請求項25または26に記載のUE。
【請求項２９】
前記共通制御情報を検出するのに使用される前記セル制御参照情報を生成する前記ことが、全部または一部のマップされるべきセル共通参照信号シーケンスを、事前設定マッピングパターンに基づいて前記N個のアンテナポートの前記1つ以上のRUにマップすること、をさらに含む、請求項25から28のいずれか一項に記載のUE。
【請求項３０】
全部または一部のマップされるべきセル共通参照信号シーケンスを、事前設定マッピングパターンに基づいて前記N個のアンテナポートの前記1つ以上のRUにマップする前記ことが、前記プロセッサが、全部または一部のマップされるべきセル共通参照信号シーケンスを、以下のパラメータ：前記1つ以上のRUのすべてのリソース要素の数、前記1つ以上のRUで前記セル制御参照情報を送信するのに使用されるすべてのリソース要素の数、前記1つ以上のRUの任意の1つで前記セル制御参照情報を送信するのに使用されるリソース要素の数、および前記1つ以上のRUの任意の1つによって占有されるリソース要素の数、のうちの1つに基づいて前記N個のアンテナポートの前記1つ以上のRUにマップすること、を含む、請求項29に記載のUE。
【発明の詳細な説明】
【技術分野】
【０００１】
本出願の実施形態は、通信技術の分野に関し、より具体的には、無線通信において共通制御情報またはマルチキャスト／ブロードキャスト情報を検出するのに使用される参照信号を送信するための方法に関する。
【背景技術】
【０００２】
現在の無線通信技術は、LTE（ロング・ターム・エボリューション、Long Term Evolution）システムへと発展してきた。図1を例にとる。既存のLTEシステムは、複数のセルを含む。各セルは、1つの基地局11と、複数のUE12とを含む。基地局は、共通制御情報およびデータと、共通制御情報およびデータを検出するために使用される参照信号とをUEに送信する。
【０００３】
既存のLTE R8〜R12システムでは、下りチャネル測定およびデータ復調に使用される以下の主に3つのタイプの参照信号がある：CRS（セル固有参照信号；Cell−specific Reference Signal）、DMRS（復調参照信号；Demodulation Reference Signal）、およびCSI−RS（チャネル状態情報参照信号；Channel State Information−Reference Signal）。LTE伝送モード1〜6では、下りチャネル測定およびデータ復調に使用される参照信号はCRSのみである。すなわち、CRSは、チャネル検出と、ブロードキャスト、制御、およびデータ信号のコヒーレント復調の両方に使用される。LTE伝送モード7および8では、DMRSの対が導入され、データ信号のコヒーレント復調に使用され、CRSは、チャネル検出と共通制御情報のコヒーレント復調とに使用される。LTE伝送モード9および10では、CSI−RSがさらに導入される。CRSは、制御情報のコヒーレント復調に使用され、DMRSは、データ信号のコヒーレント復調に使用され、CSI−RSは、マルチアンテナポート検出／マルチポイントチャネル検出に使用される。
【０００４】
CRSは、LTEリリース（Release 8）で最初に導入され、LTEシステムの基本的なダウンリンク参照信号である。CRSは、以下の局面で主に使用される：チャネル検出、データのコヒーレント復調、ブロードキャスト信号および制御信号（すなわち共通制御情報）のコヒーレント復調。
【０００５】
CRSは擬似ランダムシーケンスによって生成され、擬似ランダムシーケンスは、その長さが31のGoldシーケンスを含む。CRSの総シーケンス長は8800シンボルである。CRSのシーケンスは、時間領域の各下りサブフレーム上でマップされ、周波数領域の各リソースブロック上でマップされる。
【０００６】
CRS設計の初期（伝送モード1〜6）には、CRSは、ブロードキャストおよび制御信号のコヒーレント復調を担当するのみならず、UEごとのチャネル検出およびデータ信号のコヒーレント復調も担当する。したがって、CRSの受信側オブジェクトは、セル内のすべてのUEである。CRSは、UEごとの指向送信を行うことができない。その結果、マルチアンテナポートのシナリオにおいてアレイ利得を得ることができない。加えて、CRSはプリコーディング処理を行うことができないので、伝送解決策がUEにとっての非透過的プリコーディング方式にすぎない。これは、プリコーディング方式の柔軟性を減少させ、現在の伝送で使用されるプリコーディング行列を表すために、下りリンク制御シグナリングオーバヘッドを増加させる。総オーバヘッドのパーセンテージは14．3％である。
【０００７】
透過的なプリコーディング処理および高次のマルチアンテナポート送信を実現するために、伝送モード7から、LTEシステムにDMRSが導入され、データ信号のコヒーレント復調のためのチャネル推定に特に使用される。
【０００８】
CRSとは異なり、1つのアンテナポートに対応する2つのDMRSが、1対のPRB（物理リソースブロック；Physical Resource Block；通常は略してRB）上の12個の同じRE（リソース要素；Resource Element）を共有する。2つのDMRSは、異なるOCC（直交カバーコード；Orthogonal Cover Codes）を使用することによって相互に直交する。同じUEのデータストリームの2つのレイヤにおいては同じ擬似ランダム・ベース・シーケンスが使用され、直交性を保証するために異なるOCCが使用される。異なるUEからのデータストリームの2つのレイヤにおいては異なる擬似ランダム・ベース・シーケンスが使用される。異なるDMRSが、CDM（符号分割多重化；Code Division Multiplexing）方式でマップされる。より高次のMIMO（多入力多出力；Multi−Input−Multi−Output）伝送をサポートするために、拡張を容易に行うことができる。したがって、DMRSの4つのレイヤによって占有されるオーバヘッドとDMRSの8つのレイヤによって占有されるオーバヘッドとは同じであり、それらのパーセンテージはどちらも14．3％である。
【０００９】
より高次のMIMO伝送および協調マルチポイント伝送をサポートするために、伝送モード9から、LTEシステムはさらに最適化され、CSI−RSが導入され、マルチアンテナポートのシナリオにおけるチャネル検出に特に使用される。このタイプのチャネル検出で必要とされる参照信号の時間周波数密度は比較的低い。したがって、オーバヘッドが低い参照信号設計が使用されうる。しかし、全体的な参照信号オーバヘッドは比較的高く、8レイヤ伝送がサポートされる場合、参照信号の総オーバヘッドのパーセンテージは最大30％である。
【００１０】
ここで言及したMIMO技術は、20世紀の終わりに業界に導入され、システム容量を効果的に改善できるために広く使用されてきた。特に、5G（第5世代；5th Generation）無線通信システムの発展と共に、M−MIMO（大規模多入力多出力；Massive Multi−Input−Multi−OutputまたはMassive MIMO）技術が注目を集め始めている。従来のMIMO技術と比較して、M−MIMO技術には、比較的単純な無線リソース割り振り、豊富な散乱環境が不要であること、単一アンテナポートで費用効果的なUEにサービスを提供できる能力などの利点がある。したがって、M−MIMOは、業界で広く注目を集めている。
【００１１】
M−MIMO技術が導入された後には、M−MIMOのアンテナポート数が比較的多いためにきわめて狭いビームを生成することができ（図2の解決策1）、比較的高いアレイ利得（array gain）を得るために送信電力がきわめて小さい空間に集中されて、スループットとエネルギー効率が著しく改善される。ビームが比較的狭いので、別のUEへの干渉が低く、ビームは、特定のUEにUE固有の（UE−specific）信号、例えば、UE−specificのデータやUE−specificの制御信号を送信するのにきわめて適する。比較していうと、セル内のすべてのUEまたは大部分のUEに送信される必要のあるセル固有の（Cell−specific）信号、例えば、マルチキャストメッセージや、ブロードキャストメッセージや、制御信号が、カバレッジエリア内のすべてのUEが、これらのCell−specific信号を受信し（一般性を失うことなく、本出願ではこれらのCell−specific信号を共通制御情報と呼び、これに対応して、共通制御情報を搬送するチャネルは共通制御チャネルである）、共通制御情報の参照信号を検出することを可能にするためには、基地局は、M−MIMO技術を使用して全方向送信（omni−directional transmission）と同様のワイドビームを生成し、またはその幅が3セクタ構成で120度であるワイドビーム（図2の解決策2参照）を生成する必要がある。残念ながら、ワイドビームを使用すると、アレイ利得が失われる可能性があり、その結果、伝送距離が短縮されることになる。したがって、セルのエッジにあるUEは、通常、Cell−specific信号を受信することができないか、またはCell−specific信号をきわめて低い品質で受信する。これは矛盾している。したがって、アレイ利得（またはビーム幅）とカバレッジエリアとの間で妥協を図ること、すなわち図2の解決策3が往々にして必要である。しかし、解決策3は、依然としてアレイ利得とカバレッジエリアとの間の矛盾を根本的に解決することができない。
【発明の概要】
【００１２】
本出願の実施形態は、セル制御参照情報を送信するための方法および基地局を提供する。加えて、本出願の実施形態は、セル制御参照情報を受信するための方法およびUEも提供する。
【課題を解決するための手段】
【００１３】
第1の態様によれば、本出願の一実施形態は、セル制御参照情報を送信するための方法を提供する。本方法は、M個のアンテナポートを有する基地局が、共通制御情報の送信が必要になる前に、共通制御情報を検出するのに使用されるセル制御参照情報を生成するステップと、次いで、基地局が、共通制御情報とセル制御参照情報とを、M個のアンテナポートのうちのN個のアンテナポートを使用してN個のアンテナポートの1つ以上のリソースユニットRUにマップするステップであって、N個のアンテナポートがM個のアンテナポートの一部である、ステップと、基地局が、1つ以上のRUを使用して、共通制御情報と共通制御情報を検出するのに使用されるセル制御参照情報とを、基地局のカバレッジエリア内のUEに送信するステップと、を含む。このようにして、別のRU上のデータ伝送に影響を与えずに、周波数帯域全体の電力がN個のアンテナポートの1つ以上のリソースユニットRUに集中される方法を使用してカバレッジが効果的に増強されうる。
【００１４】
1つの可能な設計では、基地局が、共通制御情報の送信が必要になる前に、共通制御情報を検出するのに使用されるセル制御参照情報を生成するステップは、基地局が、共通制御情報の送信が必要になる前に、擬似ランダムシーケンスに基づいてマップされるべきセル制御参照信号シーケンスを生成するステップ、を含む。擬似ランダムシーケンスを使用する利点は、擬似ランダムシーケンス間には通常、比較的良好な直交性が存在することである。この場合、たとえ時間周波数リソース上の近隣のセルのセル制御参照情報に関して衝突が発生しても、比較的良好な検出特徴を保証することができる。
【００１５】
1つの可能な設計では、基地局が、擬似ランダムシーケンスに基づいてマップされるべきセル共通参照信号シーケンスを生成するステップは、具体的には、基地局が、以下の生成パラメータ：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、のうちの1つ以上に基づいて、マップされるべきセル共通参照信号シーケンスを生成するステップである。複数のパラメータを使用してセル共通参照信号シーケンスを生成する前述の方式では、セルのセル共通参照信号シーケンスのより良好な直交性を可能な限り保証することができる。
【００１６】
1つの可能な設計では、擬似ランダムシーケンスは以下のように初期設定され、
【数１】
2019517202.tif 000003
、式中、
c（0）は、擬似ランダムシーケンスの初期値であり、nsは、基地局が共通制御情報およびセル制御参照情報を送信するときのサブフレームシーケンス番号であり、lは、基地局がセル参照情報を送信するときのサブフレーム内のセル参照情報のシンボルシーケンス番号であり、
【数２】
2019517202.tif 000004
は、基地局が位置するセルのIDであり、p1は、1つ以上のRUの1つ以上のシーケンス番号であり、p2は、N個のアンテナポートのうちのアンテナポートのアンテナポート番号であり、p3は、基地局が共通制御情報およびセル制御参照情報を送信するときのフレームシーケンス番号であり、α1、α2、およびα3は、係数である。
【００１７】
1つの可能な設計では、係数α1、α2、およびα3のうちの任意の1つ以上が0でありうる。例えば、α1が0である場合、アンテナポート番号が考慮されない場合もある。加えて、その他2つの係数が0である場合も同様の意味がある。
【００１８】
1つの可能な設計では、擬似ランダムシーケンスに基づいてマップされるべきセル制御参照信号シーケンスを生成するステップは、擬似ランダムシーケンスが初期設定された後、マップされるべきセル制御参照信号シーケンスrを以下のように生成するステップであり、
【数３】
2019517202.tif 000005
、式中、
jは、虚数記号であり、c（m）は、擬似ランダムシーケンスであり、mは、セル制御参照信号が位置するRUのサブキャリアシーケンス番号であり、m＝0，1，…，
【数４】
2019517202.tif 000006
であり、xは、1つ以上のRUの任意の1つのサブキャリアの数または1つ以上のRUの任意の1つでセル制御参照信号によって占有されるサブキャリアの数を表し、
【数５】
2019517202.tif 000007
は、1つ以上のRUの数を表す。
【００１９】
1つの可能な設計では、擬似ランダムシーケンスは、Goldシーケンス、mシーケンス、またはZadoff−Chuシーケンスである。
【００２０】
1つの可能な設計では、マップされるべきセル共通参照信号シーケンスをN個のアンテナポートの1つ以上のRUにマップするステップは、全部または一部のマップされるべきセル共通参照信号シーケンスを、事前設定マッピングパターンに基づいてN個のアンテナポートの1つ以上のRUにマップするステップ、を含む。
【００２１】
1つの可能な設計では、全部または一部のマップされるべきセル共通参照信号シーケンスを、事前設定マッピングパターンに基づいてN個のアンテナポートの1つ以上のRUにマップするステップは、全部または一部のマップされるべきセル共通参照信号シーケンスを、以下のパラメータ：1つ以上のRUのすべてのリソース要素の数、1つ以上のRUでセル制御参照情報を送信するのに使用されるすべてのリソース要素の数、1つ以上のRUの任意の1つでセル制御参照情報を送信するのに使用されるリソース要素の数、および1つ以上のRUの任意の1つによって占有されるリソース要素の数、のうちの1つに基づいてN個のアンテナポートの1つ以上のRUにマップするステップ、を含む。
【００２２】
1つの可能な設計では、マッピングパターンは、基地局によって、セル制御参照情報が位置する共通制御チャネルに関する以下の生成パラメータのうちの1つ以上に基づいて決定され、それらの生成パラメータには：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、が含まれる。
【００２３】
1つの可能な設計では、基地局は、基地局のカバレッジエリア内のUEに、以下の生成パラメータ：セル制御参照情報が位置するRUの数、セル制御参照情報が時間周波数リソース上で位置するRUの位置、Nの値、セル制御参照情報の生成方法、RU上のセル制御参照情報のマッピングパターン、擬似ランダムシーケンス、サブバンドシーケンス番号、および生成パラメータを含む生成パラメータセットの索引番号、のうちの1つ以上を送信する。このように、基地局は、チャネル状況、負荷状況、干渉状況などの要因に基づいて、システムリソースを効果的にスケジュールできるように、共通制御情報とセル制御参照情報とを送信するのに使用される、周期、位置などのパラメータを更新しうる。
【００２４】
1つの可能な設計では、N個のアンテナポートは、事前設定されるか、または基地局によってM個のアンテナポートの中から選択される。
【００２５】
1つの可能な設計では、各RUは、周波数領域の少なくとも1つの連続したサブキャリアと、時間領域の少なくとも1つの連続したシンボルとを含む。
【００２６】
1つの可能な設計では、基地局が、1つ以上のRUを使用して、共通制御情報と共通制御情報を検出するのに使用されるセル制御参照情報とを、基地局のカバレッジエリア内のUEに送信するステップは、基地局が高パワースペクトル密度法を使用して、1つ以上のRUを使用して、共通制御情報と共通制御情報を検出するのに使用されるセル制御参照情報とを、基地局のカバレッジエリア内のUEに送信するステップ、を含む。
【００２７】
1つの可能な設計では、異なるサブバンドの共通制御情報とセル制御参照情報とが同じサブフレームで送信される。
【００２８】
1つの可能な設計では、異なるサブバンドの共通制御情報とセル制御参照情報とが同じN個のアンテナポートを使用して送信される。
【００２９】
第2の態様によれば、セル制御参照信号を受信するための方法が提供され、本方法は、UEが、N個のアンテナポートの1つ以上のリソースユニットRU上で基地局によって送信された信号を受信するステップであって、信号が、共通制御情報と共通制御情報を検出するのに使用されるセル制御参照情報とを含み、N個のアンテナポートが、基地局のM個のアンテナポートの一部である、ステップと、UEが、共通制御情報を検出するのに使用されるセル制御参照情報を生成するステップと、UEがセル制御参照情報に基づいて、共通制御情報を検出するのに使用される信号から共通制御情報を取得するステップと、を含む。
【００３０】
1つの可能な設計では、UEが、共通制御情報を検出するのに使用されるセル制御参照情報を生成するステップは、UEが、擬似ランダムシーケンスに基づいてマップされるべきセル共通参照信号シーケンスを生成するステップ、を含む。
【００３１】
1つの可能な設計では、UEが、擬似ランダムシーケンスに基づいてマップされるべきセル共通参照信号シーケンスを生成するステップは、具体的には、UEが、以下の生成パラメータ：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、のうちの1つ以上に基づいて、マップされるべきセル共通参照信号シーケンスを生成するステップである。
【００３２】
1つの可能な設計では、擬似ランダムシーケンスは以下のように初期設定され：
【数６】
2019517202.tif 000008
、式中、
c（0）は、擬似ランダムシーケンスの初期値であり、nsは、UEが信号を受信するときのサブフレームシーケンス番号であり、lは、UEが信号を受信するときのサブフレーム内のセル参照情報のシンボルシーケンス番号であり、
【数７】
2019517202.tif 000009
は、UEが位置するセルのIDであり、p1は、1つ以上のRUの1つ以上のシーケンス番号であり、p2は、N個のアンテナポートのうちのアンテナポートのアンテナポート番号であり、p3は、UEが信号を受信するときのフレームシーケンス番号であり、α1、α2、およびα3は、係数である。
【００３３】
1つの可能な設計では、係数α1、α2、およびα3のうちの任意の1つ以上が0である。0で表される意味は、前述の説明における意味と同じである。
【００３４】
1つの可能な設計では、擬似ランダムシーケンスに基づいてマップされるべきセル制御参照信号シーケンスを生成するステップは、擬似ランダムシーケンスが初期設定された後、マップされるべきセル制御参照信号シーケンスrを以下のように生成するステップであり、
【数８】
2019517202.tif 000010
、式中、
mは、セル制御参照信号が位置するRUのサブキャリアシーケンス番号であり、m＝0，1，．．．，
【数９】
2019517202.tif 000011
であり、xは、1つ以上のRUの任意の1つのサブキャリアの数または1つ以上のRUの任意の1つでセル制御参照信号によって占有されるサブキャリアの数を表し、
【数１０】
2019517202.tif 000012
は、1つ以上のRUの数を表す。
【００３５】
1つの可能な設計では、擬似ランダムシーケンスは、Goldシーケンス、mシーケンス、またはZadoff−Chuシーケンスである。
【００３６】
1つの可能な設計では、UEが、共通制御情報を検出するのに使用されるセル制御参照情報を生成するステップは、UEが、全部または一部のマップされるべきセル共通参照信号シーケンスを、事前設定マッピングパターンに基づいてN個のアンテナポートの1つ以上のRUにマップするステップ、をさらに含む。
【００３７】
1つの可能な設計では、UEが、全部または一部のマップされるべきセル共通参照信号シーケンスを、事前設定マッピングパターンに基づいてN個のアンテナポートの1つ以上のRUにマップするステップは、UEが、全部または一部のマップされるべきセル共通参照信号シーケンスを、以下のパラメータ：1つ以上のRUのすべてのリソース要素の数、1つ以上のRUでセル制御参照情報を送信するのに使用されるすべてのリソース要素の数、1つ以上のRUの任意の1つでセル制御参照情報を送信するのに使用されるリソース要素の数、および1つ以上のRUの任意の1つによって占有されるリソース要素の数、のうちの1つに基づいてN個のアンテナポートの1つ以上のRUにマップするステップ、を含む。
【００３８】
1つの可能な設計では、マッピングパターンは、UEによって、セル制御参照情報が位置する共通制御チャネルに関する以下の生成パラメータのうちの1つ以上に基づいて決定され、それらの生成パラメータには：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、が含まれうる
【００３９】
1つの可能な設計では、UEは、基地局によって送信された以下の生成パラメータ：セル制御参照情報が位置するRUの数、セル制御参照情報が時間周波数リソース上で位置するRUの位置、Nの値、セル制御参照情報の生成方法、RU上のセル制御参照情報のマッピングパターン、擬似ランダムシーケンス、サブバンドシーケンス番号、および生成パラメータセットの索引番号、のうちの1つ以上を受信するこれらのパラメータを受信した後、UEは、格納されたパラメータを更新する。
【００４０】
1つの可能な設計では、各RUは、周波数領域の少なくとも1つの連続したサブキャリアと、時間領域の少なくとも1つの連続したシンボルとを含む。
【００４１】
1つの可能な設計では、UEは、異なるサブバンドの共通制御情報とセル制御参照情報とを同じサブフレームで受信する。
【００４２】
第3の態様によれば、M個のアンテナポートと、送信機と、プロセッサと、メモリとを含む、セル制御参照情報を送信するための基地局が提供される。メモリは、プロセッサが実行することのできるプログラムコードを格納するように構成される。プロセッサは、共通制御情報の送信が必要になる前に、メモリに格納されたプログラムコードに基づいて、共通制御情報を検出するのに使用されるセル制御参照情報を生成し、共通制御情報とセル制御参照情報とをN個のアンテナポートの1つ以上のリソースユニットRUにマップし、N個のアンテナポートがM個のアンテナポートの一部である、ように構成される。送信機は、1つ以上のRUとN個のアンテナポートとを使用して、共通制御情報と共通制御情報を検出するのに使用されるセル制御参照情報とを、基地局のカバレッジエリア内のUEに送信するように構成される。
【００４３】
1つの可能な設計では、メモリは、マッピングパターンを格納するようにさらに構成される。
【００４４】
1つの可能な設計では、メモリは、擬似ランダムシーケンスを格納するようにさらに構成され、プロセッサが、共通制御情報の送信が必要になる前に、メモリに格納されたプログラムコードに基づいて、共通制御情報を検出するのに使用されるセル制御参照情報を生成する、ように構成されることは、プロセッサが、共通制御情報の送信が必要になる前に、メモリに格納されたプログラムコードと擬似ランダムシーケンスとに基づいて、マップされるべきセル制御参照信号シーケンスを生成すること、を含む。
【００４５】
1つの可能な設計では、プロセッサが、メモリに格納されたプログラムコードと擬似ランダムシーケンスとに基づいて、マップされるべきセル制御参照信号シーケンスを生成することは、具体的には、基地局が、以下の生成パラメータ：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、のうちの1つ以上に基づいて、マップされるべきセル共通参照信号シーケンスを生成することである。
【００４６】
1つの可能な設計では、プロセッサは、擬似ランダムシーケンスを、メモリに格納されたプログラムコードに基づいて以下のように初期設定するようにさらに構成され、
【数１１】
2019517202.tif 000013
、式中、
c（0）は、擬似ランダムシーケンスの初期値であり、nsは、基地局が共通制御情報およびセル制御参照情報を送信するときのサブフレームシーケンス番号であり、lは、基地局がセル参照情報を送信するときのサブフレーム内のセル参照情報のシンボルシーケンス番号であり、
【数１２】
2019517202.tif 000014
は、基地局が位置するセルのIDであり、p1は、1つ以上のRUの1つ以上のシーケンス番号であり、p2は、N個のアンテナポートのうちのアンテナポートのアンテナポート番号であり、p3は、基地局が共通制御情報およびセル制御参照情報を送信するときのフレームシーケンス番号であり、α1、α2、およびα3は、係数である。
【００４７】
1つの可能な設計では、係数α1、α2、およびα3のうちの任意の1つ以上が0である。0で表される意味は、前述の説明における意味と同じである。
【００４８】
1つの可能な設計では、擬似ランダムシーケンスに基づいてマップされるべきセル制御参照信号シーケンスを生成することは、擬似ランダムシーケンスが初期設定された後、マップされるべきセル制御参照信号シーケンスrを以下のように生成することであり、
【数１３】
2019517202.tif 000015
、式中、
jは、虚数記号であり、c（m）は、擬似ランダムシーケンスであり、mは、セル制御参照信号が位置するRUのサブキャリアシーケンス番号であり、m＝0，1，．．．，
【数１４】
2019517202.tif 000016
であり、xは、1つ以上のRUの任意の1つのサブキャリアの数または1つ以上のRUの任意の1つでセル制御参照信号によって占有されるサブキャリアの数を表し、
【数１５】
2019517202.tif 000017
は、1つ以上のRUの数を表す。
【００４９】
1つの可能な設計では、擬似ランダムシーケンスは、Goldシーケンス、mシーケンス、またはZadoff−Chuシーケンスである。
【００５０】
1つの可能な設計では、セル制御参照情報を、N個のアンテナポートの1つ以上のリソースユニットRUにマップすることは、全部または一部のマップされるべきセル共通参照信号シーケンスを、事前設定マッピングパターンに基づいてN個のアンテナポートの1つ以上のRUにマップすること、を含む。
【００５１】
1つの可能な設計では、全部または一部のマップされるべきセル共通参照信号シーケンスを、事前設定マッピングパターンに基づいてN個のアンテナポートの1つ以上のRUにマップすることは、全部または一部のマップされるべきセル共通参照信号シーケンスを、以下のパラメータ：1つ以上のRUのすべてのリソース要素の数、1つ以上のRUでセル制御参照情報を送信するのに使用されるすべてのリソース要素の数、1つ以上のRUの任意の1つでセル制御参照情報を送信するのに使用されるリソース要素の数、および1つ以上のRUの任意の1つによって占有されるリソース要素の数、のうちの1つに基づいてN個のアンテナポートの1つ以上のRUにマップすること、を含む。
【００５２】
1つの可能な設計では、マッピングパターンは、基地局によって、セル制御参照情報が位置する共通制御チャネルに関する以下の生成パラメータ：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、のうちの1つ以上に基づいて決定される。
【００５３】
1つの可能な設計では、メモリは、N個のアンテナポートに関する情報を格納し、またはプロセッサは、M個のアンテナポートの中からN個のアンテナポートを選択するようにさらに構成される。
【００５４】
1つの可能な設計では、送信機は、プロセッサによって生成された以下の生成パラメータ：セル制御参照情報が位置するRUの数、セル制御参照情報が時間周波数リソース上で位置するRUの位置、Nの値、セル制御参照情報の生成方法、RU上のセル制御参照情報のマッピングパターン、擬似ランダムシーケンス、サブバンドシーケンス番号、および生成パラメータを含む生成パラメータセットの索引番号、のうちの1つ以上を、基地局のカバレッジエリア内のUEに送信するこのように、プロセッサは、チャネル状況、負荷状況、干渉状況などの要因に基づいて、システムリソースを効果的にスケジュールできるように、共通制御情報とセル制御参照情報とを送信するのに使用される、周期、位置などのパラメータを更新しうる。これに対応して、プロセッサは、更新されたパラメータに基づいて、メモリに格納されたプログラムまたはマッピングパターンをさらに更新する。
【００５５】
1つの可能な設計では、メモリは、生成パラメータ、またはこれらの生成パラメータを含む生成パラメータセットの索引番号を格納するように構成される。
【００５６】
1つの可能な設計では、送信機は、異なるサブバンドの共通制御情報とセル制御参照情報とを同じサブフレームで送信するように構成される。
【００５７】
1つの可能な設計では、N個のアンテナポートは、異なるサブバンドの共通制御情報とセル制御参照情報とを送信するように構成される。
【００５８】
第4の態様によれば、アンテナと、送信機と、プロセッサと、メモリとを含む、セル制御参照情報を受信するためのUEが提供され、受信機は、アンテナを使用して、N個のアンテナポートの1つ以上のリソースユニットRU上で基地局によって送信された信号を受信し、信号は、共通制御情報と共通制御情報を検出するのに使用されるセル制御参照情報とを含み、N個のアンテナポートは、基地局のM個のアンテナポートの一部であり、
【００５９】
メモリは、プロセッサが実行することのできるプログラムコードを格納するように構成され、プロセッサは、受信機が信号を受信する前に、メモリに格納されたプログラムコードに基づいて、共通制御情報を検出するのに使用されるセル制御参照情報を生成する、ように構成され、プロセッサは、プロセッサによって生成されたセル制御参照情報に基づいて、受信機によって受信された信号から共通制御情報を取得するように構成される。
【００６０】
1つの可能な設計では、メモリは、マッピングパターンを格納するようにさらに構成される。
【００６１】
1つの可能な設計では、メモリは、擬似ランダムシーケンスを格納するようにさらに構成され、プロセッサが、受信機が信号を受信する前に、メモリに格納されたプログラムコードに基づいて、共通制御情報を検出するのに使用されるセル制御参照情報を生成する、ように構成されることは、プロセッサが、受信機が信号を受信する前に、メモリに格納されたプログラムコードと擬似ランダムシーケンスとに基づいて、マップされるべきセル制御参照信号シーケンスを生成すること、を含む。
【００６２】
1つの可能な設計では、プロセッサが、メモリに格納されたプログラムコードと擬似ランダムシーケンスとに基づいて、マップされるべきセル制御参照信号シーケンスを生成することは、具体的には、プロセッサが、以下の生成パラメータ：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、のうちの1つ以上に基づいて、マップされるべきセル共通参照信号シーケンスを生成することである。
【００６３】
1つの可能な設計では、プロセッサは、擬似ランダムシーケンスを、メモリに格納されたプログラムコードに基づいて以下のように初期設定するようにさらに構成され、
【数１６】
2019517202.tif 000018
、式中、
c（0）は、擬似ランダムシーケンスの初期値であり、nsは、受信機が信号を受信するときのサブフレームシーケンス番号であり、lは、受信機が信号を受信するときのサブフレーム内のセル参照情報のシンボルシーケンス番号であり、
【数１７】
2019517202.tif 000019
は、UEが位置するセルのIDであり、p1は、1つ以上のRUの1つ以上のシーケンス番号であり、p2は、N個のアンテナポートのうちのアンテナポートのアンテナポート番号であり、p3は、受信機が信号を受信するときのフレームシーケンス番号であり、α1、α2、およびα3は、係数である。
【００６４】
1つの可能な設計では、係数α1、α2、およびα3のうちの任意の1つ以上が0である。
【００６５】
1つの可能な設計では、擬似ランダムシーケンスに基づいてマップされるべきセル制御参照信号シーケンスを生成することは、擬似ランダムシーケンスが初期設定された後、マップされるべきセル制御参照信号シーケンスrを以下のように生成することであり、
【数１８】
2019517202.tif 000020
、式中、
jは、虚数記号であり、c（m）は、擬似ランダムシーケンスであり、mは、セル制御参照信号が位置するRUのサブキャリアシーケンス番号であり、m＝0，1，．．．，
【数１９】
2019517202.tif 000021
であり、xは、1つ以上のRUの任意の1つのサブキャリアの数または1つ以上のRUの任意の1つでセル制御参照信号によって占有されるサブキャリアの数を表し、
【数２０】
2019517202.tif 000022
は、1つ以上のRUの数を表す。
【００６６】
1つの可能な設計では、擬似ランダムシーケンスは、Goldシーケンス、mシーケンス、またはZadoff−Chuシーケンスである。
【００６７】
1つの可能な設計では、共通制御情報を検出するのに使用されるセル制御参照情報を生成することは、全部または一部のマップされるべきセル共通参照信号シーケンスを、事前設定マッピングパターンに基づいてN個のアンテナポートの1つ以上のRUにマップすること、を含む。
【００６８】
1つの可能な設計では、全部または一部のマップされるべきセル共通参照信号シーケンスを、事前設定マッピングパターンに基づいてN個のアンテナポートの1つ以上のRUにマップすることは、プロセッサが、全部または一部のマップされるべきセル共通参照信号シーケンスを、以下のパラメータ：1つ以上のRUのすべてのリソース要素の数、1つ以上のRUでセル制御参照情報を送信するのに使用されるすべてのリソース要素の数、1つ以上のRUの任意の1つでセル制御参照情報を送信するのに使用されるリソース要素の数、および1つ以上のRUの任意の1つによって占有されるリソース要素の数、のうちの1つに基づいてN個のアンテナポートの1つ以上のRUにマップすること、を含む。
【００６９】
1つの可能な設計では、マッピングパターンは、プロセッサによって、セル制御参照情報が位置する共通制御チャネルに関する以下の生成パラメータ：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、のうちの1つ以上に基づいて決定される。
【００７０】
1つの可能な設計では、各RUは、周波数領域の少なくとも1つの連続したサブキャリアと、時間領域の少なくとも1つの連続したシンボルとを含む。
【００７１】
1つの可能な設計では、受信機は、アンテナを使用して、基地局によって送信された以下の生成パラメータのうちの1つ以上を受信し、以下の生成パラメータのうちの1つ以上をプロセッサに送る：セル制御参照情報が位置するRUの数、セル制御参照情報が時間周波数リソース上で位置するRUの位置、Nの値、セル制御参照情報の生成方法、RU上のセル制御参照情報のマッピングパターン、擬似ランダムシーケンス、サブバンドシーケンス番号、および生成パラメータセットの索引番号。プロセッサは、受け取ったパラメータに基づいてメモリに格納されたプログラムまたはマッピングパターンを更新する。
【００７２】
1つの可能な設計では、メモリは、生成パラメータ、またはこれらの生成パラメータを含む生成パラメータセットの索引番号を格納するように構成される。
【００７３】
1つの可能な設計では、受信機は、異なるサブバンドの信号を同じサブフレームで受信するように構成される。
【００７４】
本発明の実施形態で提供される技術的解決策によれば、N個のアンテナポートを使用して1つ以上のRU上でセル制御参照情報が送信される。これにより、オーバヘッドが効果的に制御され、アレイ利得およびカバレッジエリアの問題が解決されうる。さらに、これにより、セル間のセル制御参照情報の相互干渉も効果的に制御されうる。加えて、周波数ホッピング利得が得られるように、異なる時間周波数リソースがセル制御参照情報の送信に柔軟に使用されうる。
【００７５】
本出願の実施形態における技術的解決策をより明確に説明するために、以下で、それらの実施形態または先行技術を説明するのに必要な添付の図面について簡単に述べる。明らかに、以下の説明の添付の図面は本出願の一部の実施形態を示しているにすぎず、当業者はこれら添付の図面から難なく他の図面をさらに導出することができよう。
【図面の簡単な説明】
【００７６】
【図１】典型的なLTE配備シナリオにおけるLTEシステムの概略図である。
【図２】アンテナポート利得およびカバレッジエリアの概略図である。
【図３】CCRSシーケンスによって占有された時間周波数リソースの概略図である。
【図４】CCRSシーケンスの生成の概略図である。
【図５】CCRSシーケンスの概略図構造図である（単一アンテナポートおよび1つのRU）。
【図６】CCRSシーケンスの概略図構造図である（デュアル・アンテナ・ポートおよび1つのRU）。
【図７】CCRSシーケンスリソースの位置の概略図である。
【図８】通信に使用される基地局およびUEの構造ブロック図である。
【発明を実施するための形態】
【００７７】
以下で、本出願の実施形態における添付の図面に関連して、本出願の実施形態における技術的解決策を明確かつ十分に説明する。明らかに、説明される実施形態は本出願の実施形態の全部ではなく一部である。本出願の実施形態に基づいて当業者によって難なく取得される他のすべての実施形態は、本出願の保護範囲内に含まれるものとする。
【００７８】
本出願の技術的解決策は、LTE、LTEアドバンスト（LTE−Advanced）、LTEアドバンストプロ（LTE−Advanced Pro）、Wi−Fi、WiMAX（マイクロ波アクセスのための世界的相互運用性；Worldwide Interoperability for Microwave Access）、またはWAPI（WLAN認証およびプライバシインフラストラクチャ；WLAN Authentication and Privacy Infrastructure）や、5G通信システムまたは5G後の通信システムといった将来の通信システムなど、様々な通信システムに適用されうる。
【００７９】
既存のLTEパイロットでは、共通制御情報の検出に特に使用されるパイロットはCRSのみであり、UEは、CRSに基づいて共通制御情報のチャネル情報を推定し、次いで、検出されたチャネル情報に基づいて共通制御情報を復調する。しかし、CRSは全システム帯域幅上に分配されるので、全カバレッジエリア内のすべてのUEがパイロット信号を受信できるようにするために、狭帯域幅ビームを使用してPSD（パワースペクトル密度；Power Spectrum Density）を高める方法を使用することができない。したがって、高PSDを使用して送信された共通制御情報を復調するために、新しい共通制御信号用のセル制御参照情報を設計する必要がある。一般性を失うことなく、セル制御参照情報は、高PSDを使用してセル制御参照信号（Cell Control Reference Signal；略称CCRS）の形態で伝送されるものと仮定する。将来の通信ネットワークではセルが分割単位として使用されない可能性もあるが、分割方法の変更は本出願の解決策の実現に影響を与えないことに留意されたい。したがって、本出願の説明ではやはり「セル」を例として使用する。これに基づき、UE固有の信号（UE固有の信号データ信号、UE固有の制御信号などを含む）のコヒーレント復調を実施するのにDMRSが使用され、チャネル検出を実施するのにCSI−RSが使用される。このようにして、CCRSとDMRSとCSI−RSとの参照信号組み合わせにより、オーバヘッド最小化および柔軟な構成というシステム最適化の目的が達成されうる。
【００８０】
M−MIMOが導入された後、伝送にナロービームが使用される場合には範囲が限定され、伝送にワイドビームが使用される場合にはセルエッジに到達するのが難しいというM−MIMOの矛盾を解決するために、狭帯域幅ビーム高PSD伝送解決策が使用されうる：すなわち、制御信号を、システム帯域幅Bt内のいくつかの制限された周波数リソースBc（Bc＜Bt）にマップし、それらの周波数リソースを共通制御チャネルとして定義し、これらの共通制御チャネルによって占有される周波数リソース上に送信電力を集中して、PSDをより高めて伝送距離を増加させ、加えて、伝送範囲の幅を拡大するように、伝送にワイドビームを使用する。この解決策に基づき、送信電力はすべて共通制御チャネル上に集中される。基地局のために構成されたM個のアンテナポートすべてが共通制御情報の送信に使用される場合、すべての伝送リソースが使い果たされる。これは明らかに不適切である。したがって、本出願の実施形態では、共通制御情報を送信するために基地局のM個のアンテナポートの中からN個のアンテナポートが選択され、MとNとはどちらも正の整数であり、N＜Mである。実施に際して、基地局では、Nの値が事前設定されてよく、N個のアンテナポートが、共通制御情報とセル制御参照情報とを送信するために事前設定されてよい。加えて、以下のパラメータ：カバレッジエリア内のすべてのUEのチャネル統計、負荷、干渉、基地局のカバレッジエリアのサイズ、基地局によってサポートされる帯域幅、およびすべてのアンテナポートの送信電力、のうちの少なくとも1つに基づき、基地局は、Nの値を決定し、または基地局のために構成されたM個のアンテナポートの中からN個のアンテナポートを選択しうる。例えば、基地局は、データを送受信するためにM＝64個のアンテナポートを使用する。正方行列を形成するアンテナポートのグループでは、項の最上部の2つのアンテナポート間の相関は通常低い。この場合、項の最上部の2つのアンテナポートが選択され、すなわち、N＝2である。当然ながら、N個のアンテナポートは、代替として、前述のM個のアンテナポートにおけるアンテナポート間の相関を計算することによって選択されてもよく、または前述のM個のアンテナポートの中から随意に選択されてもよい。単純な方法は、既存のLTEによってサポートされるアンテナポートの数、例えば、N＝1、2、4、または8を直接使用することである。N個のアンテナポートは共通制御情報の送信に特に使用されるので、Nの値は大きすぎないほうがよい。Nの値が大きすぎる場合、CCRSのオーバヘッドが増加し、データ信号を送信するためのアンテナポートの数も影響を受ける。その結果、データ信号伝送が影響を受けることになる。
【００８１】
M個のアンテナポートを有する基地局は、共通制御情報と共通制御情報を検出するのに使用されるセル制御参照情報（一般性を失うことなく、本出願では、セル制御参照情報を表すのにCCRSシーケンスが使用される）とを、N個のアンテナポートの1つ以上のリソースユニットRU（リソースユニット；Resource Unit）にマップし、共通制御情報とCCRSシーケンスとの送信が必要になると、1つ以上のRUを使用して、共通制御情報とCCRSシーケンスとを、基地局のカバレッジエリア内のUEに送信する。UEはまた、同じ時間周波数リソース上で、基地局のセル制御参照情報と一致するセル制御参照情報（またはCCRSシーケンス）を生成することも必要とし、次いで、UEによって生成されたCCRSシーケンスを使用して受信信号から共通制御情報を検出する。
【００８２】
例えば、基地局は、共通制御チャネルを使用して共通制御情報を送信するのにN個のアンテナポートを使用する。共通制御チャネルはいくつかの基本時間周波数RUを含み、共通制御情報を検出するのに使用されるCCRSシーケンスは、（前述のBcに対応する）共通制御チャネル内の各RU上に分配される。図3は、周波数領域のCCRSシーケンスの概略図である。UE1は1つのRUを占有しており、CCRSシーケンスの共通制御チャネルは2つのRUを占有しており、UE2は2つのRUを占有しており、UE3は1つのRUを占有している。CCRSシーケンスは、周波数帯域のごく限られた部分のRUのユニットに分配され、システム周波数帯域全体を占有しないことが分かる。これは、本出願における「狭帯域」の意味を反映するものである。他のRUは、UE−specific伝送のために他のUEに割り振られる。すなわち、CCRSシーケンスが位置するRUとUE−specific RUとは直交し、オーバーラップしない。CCRSシーケンスが導入された後には、CRSは送信されない場合がある。したがって、N個のアンテナポートは、共通制御情報とCCRSシーケンスとを、CCRSシーケンスが位置するRU上でのみ送信し、残り（M−N）個のアンテナポートは、その他のRU上でUE−specificデータまたは他の情報を送信する。この狭帯域幅ビームの解決策では、アレイ利得の問題とカバレッジエリアの問題の両方を解決するために、いくつかのアンテナポートと帯域幅の一部を使用して、共通制御情報と対応するCCRSシーケンスとが送信される。当然ながら、これは、共通制御情報の伝送に限られる。
【００８３】
図3でCCRSシーケンスが位置しているRU1とRU2とは連続して分配されているが、実際には不連続的に分配されてもよく、例えば、CCRSシーケンスが位置しているRU2は、UE2の時間周波数リソースとUE3の時間周波数リソースとの中間に移動されることに留意されたい。
【００８４】
実施形態1
M個のアンテナポートを有する基地局が、共通制御情報が送信される前に、共通制御情報を検出するのに使用されるセル制御参照情報を生成する。本実施形態では、共通制御情報を検出するのに使用されるセル制御参照情報はCCRSシーケンスである。
【００８５】
基地局は、共通制御情報とセル制御参照情報とをN個のアンテナポートの1つ以上のリソースユニットRUにマップし、共通制御情報と共通制御情報を検出するのに使用されるセル制御参照情報とは、1つ以上のRUを使用して基地局のカバレッジエリア内のUEに送信される。N個のアンテナポートは、基地局のM個のアンテナポートの一部である。
【００８６】
共通制御情報を送信する前に、基地局は、共通制御情報を検出するのに使用されるCCRSシーケンスを生成する必要がある。UEによって生成されるCCRSシーケンスとの一貫性を保証するために、基地局とUEとは、同じCCRSシーケンスが得られるようにするために、CCRSシーケンスを生成するのに使用される同じパラメータ、CCRSシーケンスを生成するのに使用される同じ規則、およびCCRSシーケンスをマップするのに使用される同じ規則（例えば、マッピングパターン）を保持している必要がある。図4は、CCRSシーケンスの生成の概略流れ図である。RU上のCCRSシーケンスのマッピングパターンが決定され、マップされるべきCCRSシーケンスが生成された後、マップされるべきCCRSシーケンスが、マッピングパターンに基づいてCCRSシーケンスに対応する時間周波数リソースにマップされた後に、マップされるべきCCRSシーケンスは、実際に送信（または受信）されるCCRSシーケンスであることが分かる。流れ図は、UEと基地局の両方に適用されることに留意されたい。共通制御情報およびCCRSシーケンスと、CCRSシーケンスの時間周波数位置に関する情報（CCRSシーケンスのRUの数、タイムスロット、および周波数帯域を含む）とを送信するN個のアンテナポートは、基地局とUEとで事前設定されてもよく、またはカバレッジエリア内のすべてのUEのチャネル統計、負荷、干渉、基地局のカバレッジエリアのサイズ、基地局によってサポートされる帯域幅、およびすべてのアンテナポートの送信電力などの要因のうちの少なくとも1つのパラメータに基づいて基地局によって決定されてもよく、カバレッジエリア内のUEに通知される。
【００８７】
CCRSシーケンスの設計は、次の3つの局面を含む：（1）CCRSシーケンスのマッピングパターンがまずRU上で設計される；（2）マップされるべきCCRSシーケンスが生成される；および（3）マップされるべきCCRSシーケンスが、マッピングパターンに基づいて1つ以上のRUにマップされ、またはいくつかのCCRSシーケンスがマップされるべきCCRSシーケンスの中から選択され、1つ以上のRUにマップされる。これらの局面について以下で詳細に説明する。
【００８８】
（1）CCRSシーケンスのマッピングパターンがまずRU上で設計される。
【００８９】
基地局（またはUE）は、CCRSシーケンスを、図5の方式のいずれか1つでアンテナポートの1つのRU（例えば、図3でCCRSシーケンスが位置しているRU1）にマップし、図5において横軸方向は時間を表し、縦軸は周波数を表す。
【００９０】
LTEシステムでは、1つのRBは12サブキャリア×14シンボルに等しく、すなわち、周波数領域では12個のサブキャリアが占有され、時間領域では14個のシンボルが占有される。図5では、RUのサイズは、周波数領域ではL＝12個のサブキャリアであり、時間領域ではJ＝20個のシンボルが占有される。狭帯域幅ビーム高PSD法を用いて送信されたRUのサイズは、LTEで定義されたRBのサイズと一致しない場合があることが分かる。これについては本明細書では限定されない。しかし、RUは、少なくとも周波数領域ではRBと一致し、すなわち、12個のサブキャリアであり、時間領域のシンボルの数は、伝送されるべき共通制御情報の量に基づいて決定されることが通常は推奨される。当然ながら、後方互換性を考慮して、RUの数はやはり、LTEのRBのサイズと可能な限り一致し、すなわち、12サブキャリア×14シンボルである。
【００９１】
時間周波数リソース上の各RUのCCRSシーケンスシンボルのマッピングパターンは、相互に独立していてよい。マッピングパターンは、以下の生成パラメータ：N個のアンテナポートのポート番号、CCRSシーケンスが位置するRUの特定の数、CCRSシーケンスが位置するRUのうちの任意の1つで占有されるサブキャリアの数、CCRSシーケンスが位置するRUで占有されるREの数、基地局またはUEが位置するセルのID（識別；Identity）、基地局が共通制御情報とCCRSシーケンスとを送信するとき（すなわち、UEが共通制御情報とCCRSシーケンスとを受信するとき、以下は同じ）の時間周波数情報（フレームシーケンス番号、サブフレームシーケンス番号、サブフレーム内のシンボルシーケンス番号、サブキャリアシーケンス番号、CCRSシーケンスが位置するRUのシーケンス番号、およびサブバンドシーケンス番号を含むがこれに限定されない）、ならびにCCRSシーケンスが位置する任意のRUで占有されるサブキャリアの数、のうちの1つ以上に関連しうる。特に、技術の発展とネットワークの進化と共に、セルの概念は次第に弱まってきており、セルIDの含意は次第に変化しており、場合によってはTP（送信点；Transmission Point）IDを使用して表される。すなわち、UEがより高い関心を有するのは、通信がどのセルで行われるかではなく、どの基地局または送信点で行われるかである。本出願では従来のセルIDが依然として使用されている。しかし、本出願の本実施形態を含むすべての実施形態においてセルIDが使用される解決策では、代替としてTPIDも使用されうることに留意されたい。
【００９２】
図5および図6に示すマッピングパターンの例では、マッピングパターンは、以下のパラメータ：CCRSシーケンスを送信するのに使用されるサブキャリアシーケンス番号、CCRSシーケンスが位置する任意のRUでCCRSシーケンスによって占有されるサブキャリアの数、CCRSシーケンスが位置する任意のRU上のサブキャリアの数、CCRSシーケンスが位置するRUの数、1サブフレーム内のシンボルシーケンス番号、CCRSシーケンスが送信されるときの時間周波数情報（フレームシーケンス番号、サブフレームシーケンス番号、サブフレーム内のシンボルシーケンス番号、サブキャリアシーケンス番号、CCRSシーケンスが位置するRUのシーケンス番号、およびサブバンドシーケンス番号を含むがこれに限定されない）、CCRSシーケンスを送信するのに使用されるアンテナポート番号、ならびに基地局またはUEが位置するセルのID、のうちの1つ以上に基づいて決定されうる。
【００９３】
CCRSシーケンスが位置するRUは、周波数領域ではL個のサブキャリアを占有し、時間領域ではJ個のシンボルを占有しうる。図5aを例にとる。図5aでは、CCRSシーケンスが位置するRUは、周波数領域では12個のサブキャリアを占有しており、時間領域では20個のシンボルを占有ししている。この場合、参照信号のオーバヘッドとチャネル検出精度の両方を考慮して、参照信号の5つのグループ（本出願では特定の数のグループの選択については考察せず、これはここでは単なる例である）が時間領域に配置されうる。RUの時間領域の参照信号の各グループのシンボルは、シンボル0、シンボルJ／5、シンボル2J／5、シンボル3J／5、およびシンボル4J／5、すなわち、シンボル0、シンボル4、シンボル8、シンボル12、およびシンボル16であり、それぞれ、参照信号のグループ0、参照信号のグループ1、参照信号のグループ2、参照信号のグループ3、および参照信号のグループ4に対応する。2つの参照信号点が各シンボルに配置され、参照信号は周波数領域の異なる位置にある。図5aでは、同じシンボル上の2つの参照信号点間の間隔は、周波数領域では（L／2−1）（すなわち、5）サブキャリアであり、すなわち、第1の参照信号点がサブキャリアx上にある場合、第2の参照信号点は、サブキャリア（mod（x＋L／2，L））またはサブキャリア（mod（x−L／2，L））上にあり、すなわち、サブキャリア番号間の差はL／2である。ここで、modは、モジュロ演算を表す。しかし、時間領域では、そのグループ番号が偶数の参照信号は上から下まで1つのサブキャリアによって連続して交互配置され、そのグループ番号が機数の参照信号は下から上まで1つのサブキャリアによって連続して交互配置される。偶数グループを例にとる。周波数領域の12個のサブキャリアが0〜11と付番されるものとする。図5aに示すように、参照信号のグループ0はサブキャリア11とサブキャリア5とにマップされ、参照信号のグループ2はサブキャリア10とサブキャリア4とにマップされ、参照信号のグループ4はサブキャリア9とサブキャリア3とにマップされ、参照信号のグループ1はサブキャリア6とサブキャリア0とにマップされ、参照信号のグループ3はサブキャリア7とサブキャリア1とにマップされる。別のRUでは、このマップ方法が完全にコピーされてもよく、周波数領域の特定の数のサブキャリアおよび／または時間領域の特定の数のシンボルが、設定規則に従い、サブフレームシーケンス番号、擬似ランダムシーケンス、サブバンドシーケンス番号、RUシーケンス番号、およびアンテナポート番号に基づいて、しかるべくオフセットされてもよい。
【００９４】
Jが比較的大きく、例えば、30より大である場合には、参照信号を搬送するのにより多くのシンボルが使用されうる。Jが比較的小さい場合には、参照信号を搬送するのにより少ないシンボルが使用されうる。経験値に基づき、通常は、参照信号のオーバヘッドとチャネル検出精度の両方を考慮して、参照信号を有する2つのシンボル間の間隔が4シンボル以下であることが適切である。Lが比較的大きく、例えば、20より大である場合には、参照信号を有する各シンボル上の参照信号点の数を増やすことが考慮されうる。通常、2つの参照信号点間の間隔は10サブキャリアを超えるべきではない。しかし、参照信号をマップするための原理は不変のままである。
【００９５】
図5bでは、同様の原理を使用して、CCRSシーケンスが時間周波数リソースにマップされている。図5bのグループ間のパイロット位置の時間領域間隔は、図5aのグループ間のものと同じであるが、周波数領域のグループ間の位置関係は変わる。図5aと図5bとは、図5aと図5bとにおけるCCRSシーケンスが、たとえ同じ周波数帯域が使用される場合でも相互干渉なしで相互に直交しうるようにするために、近隣のセルにおいて別々に使用されうる。
【００９６】
図5cでは、CCRSシーケンスによる時間領域の共通制御チャネル内の共通制御情報を用いたTDM（時分割多重化；Time Division Multiplexing）方式が使用され、すなわち、CCRSシーケンスが位置するシンボルでは、CCRSシーケンスは制御チャネル全体の帯域幅を占有する。CCRSシーケンスおよび共通制御情報に対してFDM（周波数分割多重化；Frequency Division Multiplexing）を行う方式も使用されうると考えることは難しくない。例えば、単純な方法は、図5cの水平座標と垂直座標とを入れ替えることであり、すなわち、水平座標は周波数に変更され、垂直座標は時間に変更される（RUのサイズは20サブキャリア×12シンボルに変更される）。
【００９７】
図5dも図5cと同様である。違いは、CCRSシーケンスシンボルの開始位置がフレーム構造の開始位置にはなく、中間にあることである。
【００９８】
共通制御チャネルを送信するのに使用されるアンテナポートの数が制限される。したがって、異なるアンテナポートのCCRSシーケンスをCDM方式で区別することもできるが、チャネル検出の複雑さの増大を考慮して、好ましくは、直交性が保証されるように、FDMまたはTDM方式を使用して、異なるアンテナポートのCCRSシーケンスに対応する。当然ながら、CDM方式は除外されない。
【００９９】
図6に、2つのアンテナポートがある（すなわち、N＝2）場合のCCRSシーケンスのマッピングパターンのいくつかの可能な例を示す。
【０１００】
図6aの例では、2つのアンテナポート間でFDM方式が使用される。図6aのパターンは図5aのパターンと同様である。RUサイズは図5のサイズと一致する。2つのアンテナポートのCCRSシーケンスは、直交性を保証するために周波数領域で交互配置される。代替として、TDM方式が使用されてもよく、すなわち、2つのアンテナポートのCCRSシーケンスは、同じサブキャリア上の2つの隣接するシンボルを占有し、直交性も保証される。Nが別の値の場合にも同様の方法が使用されうる。
【０１０１】
図6bの例では、2つのアンテナポートのCCRSシーケンスのグループは、FDM方式とTDM方式の両方である。
【０１０２】
図6cの例では、TDM方式は、2つのアンテナポートのCCRSシーケンス間と、CCRSシーケンスと共通制御情報との間で使用される。同様に、このパターンは、FDM方式にも拡張されうる。図5cと同様に、単純な方法は、図6cの水平座標を垂直座標と入れ替えることであり、すなわち、水平座標は周波数に変更され、垂直座標は時間に変更される（RUのサイズは20サブキャリア×12シンボルに変更される）。
【０１０３】
図6dの例は図6cの例と同様であるが、CCRSシーケンスの密度が低減される。
【０１０４】
図5および図6には1つのセルがある例のみが示されており、CCRSシーケンスの直交伝送が異なるセル間または送信点間で維持されさえすればよいことに留意されたい。
【０１０５】
（2）マップされるべきCCRSシーケンスが生成される。
【０１０６】
基地局は、共通制御情報の送信が必要になる前に、共通制御情報を検出するのに使用されるセル制御参照情報（例えば、マップされるべきCCRSシーケンス）を生成する。
【０１０７】
N個のアンテナポートの1つ以上のRU上で基地局によって送信された信号を受信する前に、UEは、共通制御情報を検出するのに使用されるセル制御参照情報（例えば、マップされるべきセル共通参照信号シーケンス）を生成し、次いで、UEは、UEによって生成されたセル制御参照情報に基づいて、基地局によって送信された信号から共通制御情報を取得しうる。
【０１０８】
基地局（またはUE）は、既存のLTEプロトコルに基づいて、または以下の生成パラメータのうちの1つ以上に基づいて、マップされるべきセル共通参照信号シーケンスを生成しうる：擬似ランダムシーケンス、CCRSシーケンスを送信するのに使用されるアンテナポート番号、CCRSシーケンスが位置するRUの特定の数、CCRSシーケンスによって占有されるRUのうちの任意の1つで占有されるサブキャリアの数、CCRSシーケンスによって占有されるRUのうちの任意の1つで占有されるREの数、基地局またはUEが位置するセルのID、CCRSシーケンスが送信されるときの時間周波数情報（フレームシーケンス番号、サブフレームシーケンス番号、サブフレーム内のシンボルシーケンス番号、サブキャリアシーケンス番号、1つ以上のRUのシーケンス番号、およびサブバンドシーケンス番号を含むがこれに限定されない）、ならびに任意の占有されたRUにおいてCCRSシーケンスによって占有されるサブキャリアの数。
【０１０９】
具体的には、マップされるべきCCRSシーケンスを生成するために複数の生成モードがある。
【０１１０】
以下では、説明のために、基地局またはUEが擬似ランダムシーケンスに基づいてマップされるべきCCRSシーケンスを生成する例を使用する。擬似ランダムシーケンスを使用する利点は、擬似ランダムシーケンス間には通常、比較的良好な直交性が存在することである。この場合、たとえ近隣のセルのセル制御参照情報に関して時間周波数リソース上で衝突が発生しても、比較的良好な検出特徴を保証することができる。
【０１１１】
生成モード1：従来の手法は、全周波数帯域でCRSによって占有されるリソースの既存の生成方法を参照することであるが、違いは、本出願では、マップされるべきCCRSシーケンスが、共通制御チャネル上でCCRSシーケンスによって占有されるリソースのみに基づいて生成されることにある。したがって、CCRSシーケンスの定義形態が以下のように変更される必要がある：
【数２１】
2019517202.tif 000023
式中、
jは、虚数記号であり、
rは、マップされるべきCCRSシーケンスを表し、
mは、CCRSシーケンスが位置するRUのサブキャリアシーケンス番号であり、m＝0，1，．．．，
【数２２】
2019517202.tif 000024
であり、
xは、1つのRUでCCRSシーケンスによって占有されるサブキャリアの数を表し、
【数２３】
2019517202.tif 000025
は、CCRSシーケンスが位置する共通制御チャネルによって占有されるRUの数を表し、
lは、CCRSシーケンスが送信されるときのサブフレーム内のCCRSのOFDMシンボルシーケンス番号であり、
c（m）は、擬似ランダムシーケンス（Goldシーケンス、mシーケンス、Zadoff−Chuシーケンスなどであってよい）であり、以下のように初期設定され：
【数２４】
2019517202.tif 000026
、式中、fは、関数を表し例えば、f関数は：
【数２５】
2019517202.tif 000027
式中、
c（0）は、擬似ランダムシーケンスの初期値cinitであり、nsは、サブフレームシーケンス番号であり、p1は、RUのシーケンス番号であり、p2は、アンテナポート番号であり、p3は、フレームシーケンス番号であり、α1、α2、およびα3は、対応する係数であり、
【数２６】
2019517202.tif 000028
は、基地局またはUEが位置するセルのIDであり、この生成方法ではマルチセルの影響が考慮されることを表す。生成方式に生成パラメータとの関連がないと判断される場合、関数内の生成パラメータは定数に設定されさえすればよい。例えば、CCRSシーケンスがシンボルシーケンス番号のみに関連し、サブフレームとの関連がない場合、nsは1に設定されてよく、またはnsの係数は0として定義される。例えば、N＝1である、すなわち、単一アンテナポートがある解決策では、α2＝0が定義されうる。別の例として、c（m）にセルのIDとの関連がないと判断される場合、
【数２７】
2019517202.tif 000029
は、0または任意の他の定数として定義されうる。当然ながら、別の生成モードが定義されてもよく、またはp1、p2、p3は、他のパラメータとして定義される。
【０１１２】
生成モード2：マップされるべきCCRSシーケンスは、共通制御チャネルの全リソースの総数を使用して生成される。定義形態は以下のとおりである：
【数２８】
2019517202.tif 000030
【０１１３】
CCRSシーケンスの形態は生成モード1の形態と同じであるが、形態におけるパラメータ定義または値範囲が異なることが分かる。jは、虚数記号であり、c（m）は、擬似ランダムシーケンスであり、
rは、マップされるべきCCRSシーケンスを表し、
mは、サブキャリアシーケンス番号であり、m＝0，1，．．．，
【数２９】
2019517202.tif 000031
であり、
xは、1つのRU上のサブキャリアの数を表し、生成モード1で1つのRUでCCRSシーケンスによって占有されるサブキャリアの数ではなく、これは式（1）とは異なり、
【数３０】
2019517202.tif 000032
は、CCRSシーケンスが位置する共通制御チャネルによって占有されるRUの数を表し、
lは、CCRSシーケンスが送信されるときのサブフレーム内のCCRSのOFDMシンボルシーケンス番号であり、
c（m）は、擬似ランダムシーケンスであり、以下のように初期設定され：
【数３１】
2019517202.tif 000033
、式中、fは、関数を表し例えば、f関数は：
【数３２】
2019517202.tif 000034
式中、
c（0）は、擬似ランダムシーケンスの初期値cinitであり、nsは、サブフレームシーケンス番号であり、p1は、RUのシーケンス番号であり、p2は、アンテナポート番号であり、p3は、フレームシーケンス番号であり、α1、α2、およびα3は、対応する係数であり、
【数３３】
2019517202.tif 000035
は、基地局またはUEが位置するセルのIDであり、この生成方式ではマルチセルの影響が考慮されることを表す。生成方式に生成パラメータとの関連がないと判断される場合、関数内の生成パラメータは定数に設定されさえすればよい。例えば、CCRSシーケンスがシンボルシーケンス番号のみに関連し、サブフレームとの関連がない場合、nsは1に設定されてよく、またはnsの係数は0として定義される。例えば、N＝1である、すなわち、単一アンテナポートがある解決策では、α2＝0が定義されうる。当然ながら、別の生成モードが定義されてもよく、またはp1、p2、p3は、他のパラメータとして定義される。
【０１１４】
生成モード1または生成モード2に基づいて生成された前述のマップされるべきCCRSシーケンス
【数３４】
2019517202.tif 000036
は、現在のOFDMシンボルの参照信号として使用するために複素数値の変調シンボルにマップされ：
【数３５】
2019517202.tif 000037
式中、
kは、CCRSシーケンスのマッピング位置のサブキャリアシーケンス番号を表し、
m’＝f（m）は、マッピングのためにシーケンス
【数３６】
2019517202.tif 000038
の中からサブシーケンスが選択されることを表す。
【０１１５】
生成モード3：擬似ランダムシーケンス（例えば、Goldシーケンス、mシーケンス、ZCシーケンスなど）のうちの1つまたはそのグループが、マップされるべきCCRSシーケンスとして使用するために直接生成される。
【０１１６】
（3）マップされるべきCCRSシーケンスは、事前設定マッピングパターン、すなわち、N個のアンテナポートの1つ以上のリソースユニットRUに基づいて時間周波数リソースにマップされる。例えば、基地局（またはUE）は、全部または一部のマップされるべきセル共通参照信号シーケンスを、以下のパラメータ：1つ以上のRUのすべてのリソース要素の数、1つ以上のRUでセル制御参照情報を送信するのに使用されるすべてのリソース要素の数、1つ以上のRUの任意の1つでセル制御参照情報を送信するのに使用されるすべてのリソース要素の数、ならびに1つ以上のRUの任意の1つによって占有されるリソース要素の数、のうちの1つに基づいてN個のアンテナポートの1つ以上のRUにマップしうる。以下では、説明に具体例を使用する。
【０１１７】
基地局（またはUE）がマップされるべきCCRSシーケンスを生成した後、マップされるべきCCRSシーケンスは、マッピングパターンに基づき複数の方式で時間周波数リソースにマップされうる。例えば、図3および図5aに示すように、CCRSシーケンスは、各RUにおいてQRE＿CCRSシーケンス＝10REを占有する。各RUは、合計240個のREを含む。CCRSシーケンスは2つのRUに分配される。この場合、CCRSシーケンスは、2つのRUで合計20個のREを占有し、2つのRUは、合計480個のREを含む。前述のモードを使用してマップされるべきCCRSシーケンスが生成される場合、基地局がマップされるべきCCRSシーケンスを時間周波数リソースにマップする方式には、これに限定されないが、以下の方式が含まれる。マップされるべきCCRSシーケンスの長さ（すなわち、式（5）の複素数値の変調シンボルの数と同様の）がマップされるべき時間周波数リソースREの数より大きい場合には、各方式でマップされるべきREの数に基づいて一部のマップされるべきCCRSが選択されさえすればよいことに留意されたい。
【０１１８】
方式1：マッピングは、基地局がCCRSシーケンスを送信する（またはUEが受信する）ときにすべてのRUでCCRSシーケンスによって占有されるREの数に基づいて行われる。例えば、CCRSシーケンスが2つのRU上で合計20個のREを占有する場合には、CCRSシーケンスのREの総数、すなわち、QRE＿CCRS＿total＝20に基づいていくつかのマップされるべきCCRSが選択される。マップされるべきCCRSシーケンスがGoldシーケンスを使用して直接生成される場合、CCRSシーケンスとして使用するためにその長さがQRE＿CCRS＿totalを超えるGoldシーケンスからQRE＿CCRS＿total個のシンボルが切り捨てられうる。マップされるべきCCRSシーケンスが式（1）を使用して生成される場合、マップされるべきCCRSシーケンスを取得するために式中の
【数３７】
2019517202.tif 000039
の値は2に設定されてよく、次いで、マップされるべきCCRSシーケンスは、式（5）に従って時間周波数リソースにマップされる。
【０１１９】
方式2：マッピングは、基地局がCCRSシーケンスを送信する（またはUEが受信する）ときにCCRSシーケンスが位置するRU上のREの総数に基づいて行われる。例えば、CCRSシーケンスが位置する2つのRUが合計480個のREを占有する場合には、CCRSシーケンスが位置するRUのREの総数、すなわち、QRE＿RU＿total＝480REに基づいていくつかのマップされるべきCCRSが選択される。マップされるべきCCRSシーケンスがGoldシーケンスを使用して直接生成される場合、CCRSシーケンスとして使用するためにその長さがQRE＿RU＿totalを超えるGoldシーケンス内のRUのシーケンスに基づいて各RUからQRE＿CCRS個のシンボルが連続して切り捨てられうる。マップされるべきCCRSシーケンスが式（3）を使用して生成される場合、マップされるべきCCRSシーケンスを取得するために式中の
【数３８】
2019517202.tif 000040
の値は2に設定されてよく、次いで、マップされるべきCCRSシーケンスは、式（5）に従って時間周波数リソースにマップされる。
【０１２０】
方式3：マッピングは、基地局がCCRSシーケンスを送信する（またはUEが受信する）ときに各RUでCCRSシーケンスによって占有されるREの数に基づいて行われる。例えば、各RU内のCCRSシーケンスがQRE＿CCRS＝20個のREを占有する場合、マップされるべきCCRSシーケンスがGoldシーケンスを使用して直接生成されるときに、CCRSシーケンスとして使用するためにその長さがQRE＿CCRSを超えるGoldシーケンスからQRE＿CCRS個のシンボルが切り捨てられうる。マップされるべきCCRSシーケンスが式（1）を使用して生成される場合、マップされるべきCCRSシーケンスを取得するために式中の
【数３９】
2019517202.tif 000041
の値は1に設定されてよく、次いで、マップされるべきCCRSシーケンスは、式（5）に従って時間周波数リソースにマップされる。
【０１２１】
方式4は方式3と同様であるが、RU1とRU2とが同じGoldシーケンスを使用するか、または式（1）で同じp1を使用し、すなわち、RUシーケンス番号を考慮しない。
【０１２２】
方式5：マッピングは、基地局がCCRSシーケンスを送信する（またはUEが受信する）ときにCCRSシーケンスが位置するRUの任意の1つで占有されるREの総数に基づいて行われる。例えば、CCRSシーケンスが位置する各RUがQRE＿RU＝240個のREを占有する場合には、CCRSシーケンスが位置する各RUのREの総数、すなわち、QRE＿RU＝240に基づいていくつかのマップされるべきCCRSが選択される。マップされるべきCCRSシーケンスがGoldシーケンスを使用して直接生成される場合、CCRSシーケンスとして使用するためにその長さがQRE＿RUを超えるGoldシーケンス内のRUのシーケンスに基づいて各RUからQRE＿CCRS個のシンボルが連続して切り捨てられうる。マップされるべきCCRSシーケンスが式（3）を使用して生成される場合、マップされるべきCCRSシーケンスを取得するために式中の
【数４０】
2019517202.tif 000042
の値は1に設定されてよく、次いで、マップされるべきCCRSシーケンスは、式（5）に従って時間周波数リソースにマップされる。
【０１２３】
方式6は方式5と同様であるが、RU1とRU2とが同じGoldシーケンスを使用するか、または式（3）で同じp1を使用し、すなわち、RUシーケンス番号を考慮しない。
【０１２４】
ここでは単一アンテナポートがある例のみが使用されており、別の数の例もあることに留意されたい。当然ながら、具体的な数は、RUの実際のサイズ、共通制御チャネルによって占有されるRUの数、アンテナポートの数、アンテナポートのシーケンス番号などの要因に基づいて決定される必要がある。例えば、図6の2つのアンテナポートがある例では、方式1、方式3、および方式4において各RUでCCRSシーケンスによって占有されるREの数QRE＿CCRSは2倍になり、すなわち、Goldシーケンスの利用可能な長さは2倍になる。
【０１２５】
選択された各RUが擬似ランダムシーケンス（各生成モードにおけるシーケンス）を独立して生成し、CCRSシーケンスシンボルを独立してマップする方式を容易に拡張することができ、そのため、擬似ランダムシーケンスの長さおよびマッピング方式は、物理チャネル・リソース・ブロックのサイズによって制限されない。
【０１２６】
上述したように、CCRSシーケンスを生成するために、基地局とUEとは、同じCCRSシーケンスが得られるようにするために、CCRSシーケンスを生成するのに使用される同じパラメータ、CCRSシーケンスを生成するのに使用される同じ生成規則、およびCCRSシーケンスをマップするのに使用される同じマッピング規則（例えば、マッピングパターン）を保持している必要がある。具体的には、基地局とUEとが、CCRSシーケンスを生成するのに使用される同じパラメータ、CCRSシーケンスを生成するのに使用される同じ生成規則、およびCCRSシーケンスをマップするのに使用される同じマッピング規則を有するようにするために、以下のいくつかの方式が使用されうる。以下に例を示す。
【０１２７】
（1）CCRSシーケンスを生成するのに使用されるパラメータ、CCRSシーケンスを生成するのに使用される生成規則、およびCCRSシーケンスをマップするのに使用されるマッピング規則が、基地局とUEとで事前設定される。基地局とUEとは、制御チャネルとCCRSシーケンスによって占有されるNの合意された値、RUのサイズ、RUの数、および送信タイムスロット、送信周波数帯域、マッピングパターン、ならびにCCRSシーケンスの生成方法などを共に保持する。すなわち、合意されたリソースマッピング規則に従って、基地局は、合意された周波数帯域で合意されたタイムスロットにおいて合意されたアンテナポートの数、共通制御情報、および合意されたCCRSシーケンスを使用して送信する。
【０１２８】
例えば、以下の表が、基地局とUEの両方に格納される。
【０１２９】
【表１】
2019517202.tif 000043
【０１３０】
表1は単なる例にすぎない。実際の適用に際して、生成パラメータの数および表中の各生成パラメータの値は必要に応じて変更されうる。
【０１３１】
各フレームの偶数フレームで、基地局は、N＝1個のアンテナポートを使用して同期シーケンスが位置する周波数帯域の中間にある2つのRUで、図5aのパターンに基づいて生成モード1で得られたCCRSシーケンスを送信する。UEは、基地局にアクセスする前に表1のこれらの生成パラメータに関する情報をすでに知っているので、基地局は、UEに事前に通知しなくてもよい。したがって、UEは、N＝1に基づいて、図5aのパターンと各フレームの偶数フレームとに基づく生成モード1のCCRSシーケンスを取得し、同期シーケンスが位置する周波数帯域の中間にある2つのRU上で、基地局と同期した後にN＝1の方式でCCRSシーケンスが位置するRUにおいてCCRSシーケンスを検出する。
【０１３２】
（2）CCRSシーケンスを生成するのに使用されるパラメータ、CCRSシーケンスを生成するのに使用される生成規則、およびCCRSシーケンスをマップするのに使用されるマッピング規則のいくつかが、基地局とUEとに事前に格納され、いくつかが基地局を使用してUEに通知される。
【０１３３】
例えば、表1に示す生成パラメータにおいて、基地局とUEとは、CCRSシーケンスを送信するためのRUの数を除くすべての生成パラメータを格納することに合意する、すなわち、RUの数だけは決定されない。この場合、基地局は、RUの数のみをブロードキャストする必要がある。あるいは、基地局とUEとは、すべての生成パラメータを格納することに合意しているが、いくつかの生成パラメータは一時的に調整される必要があり、例えば、RUの数が調整された後に、RUの数が直接ブロードキャストされうる。
【０１３４】
あるいは、基地局とUEとは、複数のモード表に共に格納すべきいくつかのモードについて合意し、表1に示す7つの生成パラメータが各モードで指定される。基地局は、選択された生成パラメータに基づいて選択されたモード番号に対応する索引番号を検索し、その索引番号をブロードキャストしさえすればよい。
【０１３５】
（3）基地局は、UEに、CCRSシーケンスを生成するのに使用されるパラメータ、CCRSシーケンスを生成するのに使用される生成規則、およびCCRSシーケンスをマップするのに使用されるマッピング規則をブロードキャストする。この方式では、ブロードキャスト量が比較的大きい。この方式は、通常使用されない。したがって、ここでは詳細を繰り返さない。
【０１３６】
これに対応して、UE側では、表1に示す生成パラメータは、複数の方式で取得されうる。生成パラメータは、事前に格納された表に基づいて、または事前に格納された表と、基地局から受信したシグナリングとに基づいて、または受け取った索引番号に対応するモードに基づいて、または基地局から受信したシグナリングに基づいて決定されうる。CCRSシーケンスと、共通制御情報およびおCCRSシーケンスを送信するタイムスロットとが決定されうる。タイムスロットでは、まず、CCRSシーケンス信号が、マッピング方式と、時間周波数リソース上のCCRSシーケンスのマッピングパターンとに基づいて対応する時間周波数リソースにおいて受信され、次いで、CCRSシーケンス位置のチャネルが、MMSE（Minimum Mean Square Error、最小平均二乗誤差）、ZF（Zero Forcing、ゼロフォーシング）、LS（Least Square、最小自乗）などのチャネル推定アルゴリズムを使用してCCRSシーケンスに基づいて推定され、共通制御情報を伝送するためのチャネルが、この部分の共通制御情報が検出されるように、時間領域補間、周波数領域補間、線形適合などの方式で推定される。
【０１３７】
この方法が使用された後には、CCRSシーケンスを送信するのにN個のアンテナポート（N＜M）がありさえすればよく、CCRSシーケンスは、システム周波数帯域全体に分散されなくてもよく、共通制御チャネルによって占有される一部の周波数帯域だけに分配されさえすればよい。したがって、N個のアンテナポートは、共通制御チャネルの周波数帯域上に電力を集中し、狭帯域幅ビーム高PSDモードでのカバレッジを保証しうる。加えて、システム周波数帯域全体に分散されたCRSと比較して、CCRSシーケンスは、パイロットオーバヘッドを大幅に低減させる。
【０１３８】
実施形態2
実施形態1に示すCCRSシーケンス解決策では、ただ1つの共通制御チャネルについて論じられており、すなわち、周波数帯域全体に1つのCCRSシーケンス周波数帯域しかない。基地局の伝送帯域幅が比較的高く、例えば、200MHzの帯域幅である場合、基地局は、全帯域幅を、20MHz以下の帯域幅を有する複数のサブバンドに分割しうる。あるいは、システムは、20MHzの帯域幅を有する複数の搬送波を含み（一般性を失うことなく、以下では、複数のサブバンドを使用して、システムに含まれる20MHzの帯域幅を有する複数の搬送波を表す）、基地局は、複数のサブバンドで共通制御チャネルを送信するように設計されうる。図7に示すように、共通制御チャネルは、1つのフレームの異なるサブバンドの時間周波数リソース上に分配されている。各スペースは1つのRUを表し、斜線部分は共通制御チャネルによって占有されるリソースを指す。サブバンドは、これらの共通制御チャネルのリソースを、生成パラメータである、RUの数、マッピング方式、マッピングパターン、およびアンテナポートの数さえも含めて、独立してスケジュールし、送信することができることが分かる。加えて、サービスを同時にスケジュールするUEの数は変動し、サブバンド内のこれら共通制御チャネルのリソースのサイズも変動しうる。例えば、図7に示すように、サブバンド1は、周波数領域ではただ1つのRUを占有するが、時間領域では5つの連続したRUを占有し、サブバンド2は、周波数領域では3つの連続したRUを占有するが、時間領域では1つのRUを占有し、サブバンド3は、周波数領域では2つのRUを占有するが、時間領域では5つの連続したRUを占有し、サブバンド4は、周波数領域では4つの連続したRUを占有するが、時間領域では4つの連続したRUを占有し、サブバンド5は、周波数領域ではただ1つのRUを占有するが、時間領域では2つの連続したRUを占有する。いくつかのサブバンドには共通制御チャネルがない場合さえもある。これに対応して、CCRSシーケンスは、複数の共通制御チャネルに対応する時間周波数リソース上に分散され、すなわち、CCRSシーケンスは、斜線部分における対応する時間周波数リソースにのみマップされる。好ましくは、すべてのサブバンドが、サブバンドの共通制御チャネルを送信するために同じN個のアンテナポートを選択する。図7のサブバンドの共通制御チャネルのリソースとセル制御参照情報のリソースとは時間領域ではオーバーラップしないが、実際にはこれについては限定されないことに留意されたい。異なるサブバンドの共通制御チャネルのリソースが送信に同時に使用されてもよい。異なるサブバンドによって選択された共通制御チャネルを送信するために使用されるアンテナポートは、同時に送信される共通制御チャネルがカバレッジ要件を満たすことができ、合計帯域幅がシステム全体の帯域幅より低い、すなわち、狭帯域幅が使用されるのであれば、一致しても、一致しなくてもよい。そのような柔軟な構成では、周波数ホッピングの利得を得るように、異なる時間周波数リソースが送信に柔軟に使用されうる。
【０１３９】
本明細書のCCRSシーケンスの設計は以下の3つの局面も含む：（1）時間周波数リソース上のCCRSシーケンスのマッピングパターン、（2）マップされるべきCCRSシーケンスの生成、および（3）CCRSシーケンスを生成するためのマッピングパターンに基づくマップされるべきCCRSシーケンスの時間周波数リソースへのマッピング。これらの局面は、実施形態1に記載される3つの局面で使用される方法と同様であり、違いは、この場合、CCRSシーケンスが位置するサブバンドまたは搬送波のシーケンス番号、という新しい生成パラメータが導入されることである。ただし、式（1）、式（3）、式（5）、QRE＿CCRS＿total、およびQRE＿RU＿totalは、各サブバンドに基づいて独立して計算されてもよく、またはすべてのサブバンドのCCRSシーケンスによって占有されるリソースの和とCCRSシーケンスが位置するすべてのRUのリソースの和とに基づいて計算されてもよいことに留意されたい。あるいは、すべてのサブバンド上で完全に同じCCRSシーケンスが使用されてもよい。生成原理は同じなので、実施形態1の生成パラメータ、マッピング方式、マッピングパターンなどを設計するプロセスに、1つの次元、すなわち、サブバンドシーケンス番号が付加されただけであると考えることができる。例えば、擬似ランダムシーケンスが式（2）および式（4）を使用して初期設定されるときに、式の右側に加数’＋α4p4’が付加され、式中、α4は、係数であり、p4は、サブバンドシーケンス番号である。方法は、p1、p2、およびp3を付加するための方法と同様であり、したがって、ここでは繰り返さない。
【０１４０】
実施形態3
図8に、前述の実施形態に従ってセル制御参照情報を送受信する装置の構造ブロック図を示す。説明を容易にするために、本出願の本実施形態に関連した部分のみが示されている。加えて、本実施形態では、本装置は、基地局であってもよく、またはUEであってもよい。
【０１４１】
本装置において、基地局100は、アンテナ110と、送信機120と、プロセッサ130と、メモリ140とを含む。アンテナ110は、M個のアンテナポートを含み、M個のアンテナポートのうちのN個が、共通制御情報と、共通制御情報の検出に使用されるCCRSシーケンスを送信するのに特に使用される。
【０１４２】
送信機120は、1つ以上のRUとN個のアンテナポートを使用して、基地局のカバレッジエリア内のUEに、共通制御情報とCCRSシーケンスとを送信するように構成される。
【０１４３】
メモリ140は、マッピングパターンと、プロセッサ130が実行することのできるプログラムコードと、擬似ランダムシーケンスとを格納するように構成される。
【０１４４】
プロセッサ130は、メモリに格納されたプログラムコードと擬似ランダムシーケンスとに基づいて、マップされるべきCCRSシーケンスを生成し、マップされるべきCCRSシーケンスを、N個のアンテナポートの1つ以上のRUにマップする、ように構成される。RU上でCCRSシーケンスのマッピングパターンをどのように設計するか、マップされるべきCCRSシーケンスの生成方式をどのように生成するか、およびマップされるべきCCRSシーケンスをN個のアンテナポートの1つ以上のRUにどのようにマップするかについては、前述の方法実施形態の説明を参照されたい。ここでは詳細を繰り返さない。
【０１４５】
Nの値は事前設定されうる。あるいは、プロセッサ130は、Nの値を、基地局のカバレッジエリア内のすべてのUEのチャネル統計、基地局の負荷、干渉（セル間干渉およびセル内干渉を含む）、基地局のカバレッジエリアのサイズ、基地局によってサポートされる帯域幅、およびすべてのアンテナポートの送信電力などの要因のうちの少なくとも1つのパラメータに基づいて決定してもよい。
【０１４６】
メモリ140は、N個のアンテナポートに関する情報をさらに格納してもよく、またはプロセッサ130は、M個のアンテナポートの中からN個のアンテナポートを選択するよういさらに構成されてもよい。
【０１４７】
UEが、CCRSシーケンスを生成するのに使用されるパラメータを格納しない場合、任意選択で、送信機120は、基地局のカバレッジエリア内のUEに、プロセッサ130によって生成された以下の生成パラメータ：CCRSシーケンスが位置するRUの数、CCRSシーケンスが時間周波数リソース上で位置するRUの位置、Nの値、CCRSシーケンスの生成方法、占有されたRU上のCCRSシーケンスのマッピングパターン、擬似ランダムシーケンス、サブバンドシーケンス番号、および生成パラメータを含む生成パラメータセットの索引番号、のうちの1つ以上を送信する。このように、プロセッサ130は、チャネル状況、負荷状況、および干渉（セル間干渉およびセル内干渉を含む）状況などの要因に基づいて、システムリソースを効果的にスケジュールできるように、共通制御情報とセル制御参照情報とを送信するのに使用される、周期、位置などのパラメータを更新または調整しうる。これに対応して、プロセッサ130は、更新されたパラメータに基づいて、メモリ140に格納されたプログラムまたはマッピングパターンをさらに更新する。任意選択で、メモリ140は、生成パラメータ、またはこれらの生成パラメータを含む生成パラメータセットの索引番号を格納するように構成される。
【０１４８】
これに対応して、UE200は、アンテナ210と、受信機220と、プロセッサ230と、メモリ240と、を含む。アンテナ210は、複数のアンテナまたは単一のアンテナを含んでいてよく、共通制御情報とCCRSシーケンスとを受信するように構成される。
【０１４９】
受信機220は、アンテナ110を使用して、N個のアンテナポートの1つ以上のリソースユニットRU上で基地局によって送信された信号を受信し、信号は、共通制御情報とCCRSシーケンスとを含む。
【０１５０】
メモリ240は、マッピングパターンと、プロセッサが実行することのできるプログラムコードと、擬似ランダムシーケンスとを格納するように構成される。
【０１５１】
プロセッサ230は、メモリに格納されたプログラムコードと擬似ランダムシーケンスとに基づいて、マップされるべきCCRSシーケンスを生成し、マップされるべきCCRSシーケンスを、CCRSシーケンスを生成するためにN個のアンテナポートの1つ以上のRUにマップする、ように構成される。RU上でCCRSシーケンスのマッピングパターンをどのように設計するか、マップされるべきCCRSシーケンスの生成方式をどのように生成するか、およびマップされるべきCCRSシーケンスをN個のアンテナポートの1つ以上のRUにどのようにマップするかについては、前述の方法実施形態の説明を参照されたい。ここでは詳細を繰り返さない。
【０１５２】
プロセッサ230は、生成されたCCRSシーケンスに基づいて、受信機220によって受信された信号から共通制御情報をさらに取得する。
【０１５３】
任意選択で、受信機220は、プロセッサ230に、アンテナ210から受信される以下の生成パラメータ：CCRSシーケンスが位置するRUの数、CCRSシーケンスが時間周波数リソース上で位置するRUの位置、Nの値、CCRSシーケンスの生成方法、占有されたRU上のCCRSシーケンスのマッピングパターン、擬似ランダムシーケンス、サブバンドシーケンス番号、および生成パラメータを含む生成パラメータセットの索引番号、のうちの1つ以上を送るように構成される。プロセッサ230は、受け取ったパラメータに基づいてメモリ240に格納されたプログラムまたはマッピングパターンを更新する。
【０１５４】
任意選択で、メモリ240は、生成パラメータ、またはこれらの生成パラメータを含む生成パラメータセットの索引番号を格納するように構成される。
【０１５５】
本出願で提供するいくつかの実施形態においては、開示の装置および方法が他のやり方で実現されてもよいことを理解されたい。例えば、説明した装置実施形態は単なる例にすぎない。例えば、デバイス分割は単なる論理的機能分割にすぎず、実際の実装に際しては他の分割も可能である。例えば、複数のデバイスが新しいデバイスを形成するように組み合わされてもよい。加えて、図示され、または記述された相互結合または直接結合または通信接続は、いくつかのインターフェースを使用して実現されてもよい。装置間、デバイス間、またはユニット間の間接結合または通信接続は、電子的形態、機械的形態、または他の形態として実現されてもよい。本出願の実施形態における構成要素は物理ユニットであり、構成要素のいくつかの機能は、ソフトウェアを使用して実装されてもよく、またはハードウェアを使用して実装されてもよい。当業者であれば、実際の要件に基づいて対応する実装形態を選択しうる。本発明のプロセッサは、汎用プロセッサであってもよく、集積回路であってもよく、チップであってもよい。
【０１５６】
加えて、本出願の各実施形態における機能ユニットは1つの処理ユニットに統合されてもよく、各ユニットが物理的に独立して存在していてもよく、または2つ以上のユニットが1つのユニットへ統合される。
【符号の説明】
【０１５７】
11  基地局
12  UE
100  基地局
110  アンテナ
120  送信機
130  プロセッサ
140  メモリ
200  UE
210  アンテナ
220  受信機
230  プロセッサ
240  メモリ
【図１】
2019517202.tif 000064
【図２】
2019517202.tif 000065
【図３】
2019517202.tif 000066
【図４】
2019517202.tif 000067
【図５】
2019517202.tif 000068
【図６】
2019517202.tif 000069
【図７】
2019517202.tif 000070
【図８】
2019517202.tif 000071
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
セル制御参照情報を送信するための方法であって、
M個のアンテナポートを有する基地局が、共通制御情報の送信が必要になる前に、前記共通制御情報を検出するのに使用される前記セル制御参照情報を生成するステップと、
前記基地局が、前記共通制御情報と前記セル制御参照情報とをN個のアンテナポートの1つ以上のリソースユニットRUにマップするステップであって、前記N個のアンテナポートが前記M個のアンテナポートの一部である、ステップと、
前記基地局が、前記1つ以上のRUを使用して、前記共通制御情報と前記共通制御情報を検出するのに使用される前記セル制御参照情報とを、前記基地局のカバレッジエリア内のUEに送信するステップと、
を含む、方法。
【請求項２】
基地局が、共通制御情報の送信が必要になる前に、前記共通制御情報を検出するのに使用される前記セル制御参照情報を生成する前記ステップが、前記基地局が、前記共通制御情報の送信が必要になる前に、擬似ランダムシーケンスに基づいてマップされるべきセル制御参照信号シーケンスを生成するステップ、を含む、請求項1に記載の方法。
【請求項３】
前記擬似ランダムシーケンスが以下のように初期設定され：
【数１】
2019517202.tif 000072
、式中、
c（0）が、前記擬似ランダムシーケンスの初期値であり、nsが、前記基地局が前記共通制御情報と前記セル制御参照情報とを送信するときのサブフレームシーケンス番号であり、lが、前記基地局が前記セル制御参照情報を送信するときのサブフレーム内の前記セル制御参照情報のシンボルシーケンス番号であり、
【数２】
2019517202.tif 000073
が、前記基地局が位置するセルのIDであり、p1が、前記1つ以上のRUの1つ以上のシーケンス番号であり、p2が、前記N個のアンテナポートのうちのアンテナポートのアンテナポート番号であり、p3が、前記基地局が前記共通制御情報と前記セル制御参照情報を送信するときのフレームシーケンス番号であり、α1、α2、およびα3が、係数である、
請求項2に記載の方法。
【請求項４】
擬似ランダムシーケンスに基づいてマップされるべきセル制御参照信号シーケンスを生成する前記ステップが、前記擬似ランダムシーケンスが初期設定された後、前記マップされるべきセル制御参照信号シーケンスrを以下のように生成するステップであり、
【数３】
2019517202.tif 000074
、式中、
jが、虚数記号であり、c（m）が、前記擬似ランダムシーケンスであり、mが、前記セル制御参照信号が位置する前記RUのサブキャリアシーケンス番号であり、m＝0，1，…，
【数４】
2019517202.tif 000075
であり、xが、前記1つ以上のRUの任意の1つのサブキャリアの数または前記1つ以上のRUの任意の1つで前記セル制御参照信号によって占有されるサブキャリアの数を表し、
【数５】
2019517202.tif 000076
が、前記1つ以上のRUの数を表す、
請求項2または3に記載の方法。
【請求項５】
前記擬似ランダムシーケンスが、Goldシーケンス、mシーケンス、またはZadoff−Chuシーケンスである、請求項2または3に記載の方法。
【請求項６】
前記マップされるべきセル制御参照信号シーケンスを前記N個のアンテナポートの1つ以上のRUにマップするステップが、全部または一部のマップされるべきセル制御参照信号シーケンスを、事前設定マッピングパターンに基づいて前記N個のアンテナポートの前記1つ以上のRUにマップするステップ、を含む、請求項1から5のいずれか一項に記載の方法。
【請求項７】
全部または一部のマップされるべきセル制御参照信号シーケンスを、事前設定マッピングパターンに基づいて前記N個のアンテナポートの前記1つ以上のRUにマップする前記ステップが、全部または一部のマップされるべきセル制御参照信号シーケンスを、以下のパラメータ：前記1つ以上のRUのすべてのリソース要素の数、前記1つ以上のRUで前記セル制御参照情報を送信するのに使用されるすべてのリソース要素の数、前記1つ以上のRUの任意の1つで前記セル制御参照情報を送信するのに使用されるリソース要素の数、および前記1つ以上のRUの任意の1つによって占有されるリソース要素の数、のうちの1つに基づいて前記N個のアンテナポートの前記1つ以上のRUにマップするステップ、を含む、請求項6に記載の方法。
【請求項８】
前記N個のアンテナポートが、事前設定されるか、または前記基地局によって前記M個のアンテナポートの中から選択される、請求項1から7のいずれか一項に記載の方法。
【請求項９】
セル制御参照信号を受信するための方法であって、
UEが、N個のアンテナポートの1つ以上のリソースユニットRU上で基地局によって送信された信号を受信するステップであって、前記信号が、共通制御情報と、前記共通制御情報を検出するのに使用されるセル制御参照情報とを含み、前記N個のアンテナポートが、前記基地局のM個のアンテナポートの一部である、ステップと、
前記UEが、前記共通制御情報を検出するのに使用される前記セル制御参照情報を生成するステップと、
前記UEが、前記UEによって生成された前記セル制御参照情報に基づいて、前記信号から前記共通制御情報を取得するステップと、
を含む、方法。
【請求項１０】
前記UEが、前記共通制御情報を検出するのに使用される前記セル制御参照情報を生成する前記ステップが、前記UEが、擬似ランダムシーケンスに基づいてマップされるべきセル制御参照信号シーケンスを生成するステップ、を含む、請求項9に記載の方法。
【請求項１１】
前記擬似ランダムシーケンスが以下のように初期設定され：
【数６】
2019517202.tif 000077
、式中、
c（0）が、前記擬似ランダムシーケンスの初期値であり、nsが、前記UEが前記信号を受信するときのサブフレームシーケンス番号であり、lが、前記UEが前記信号を受信するときのサブフレーム内の前記セル制御参照情報のシンボルシーケンス番号であり、
【数７】
2019517202.tif 000078
が、前記UEが位置するセルのIDであり、p1が、前記1つ以上のRUの1つ以上のシーケンス番号であり、p2が、前記N個のアンテナポートのうちのアンテナポートのアンテナポート番号であり、p3が、前記UEが前記信号を受信するときのフレームシーケンス番号であり、α1、α2、およびα3が、係数である、
請求項10に記載の方法。
【請求項１２】
擬似ランダムシーケンスに基づいてマップされるべきセル制御参照信号シーケンスを生成する前記ステップが、前記擬似ランダムシーケンスが初期設定された後、前記マップされるべきセル制御参照信号シーケンスrを以下のように生成するステップであり、
【数８】
2019517202.tif 000079
、式中、
jが、虚数記号であり、c（m）が、前記擬似ランダムシーケンスであり、mが、前記セル制御参照信号が位置する前記RUのサブキャリアシーケンス番号であり、m＝0，1，．．．，
【数９】
2019517202.tif 000080
であり、xが、前記1つ以上のRUの任意の1つのサブキャリアの数または前記1つ以上のRUの任意の1つで前記セル制御参照信号によって占有されるサブキャリアの数を表し、
【数１０】
2019517202.tif 000081
が、前記1つ以上のRUの数を表す、
請求項10または11に記載の方法。
【請求項１３】
前記擬似ランダムシーケンスが、Goldシーケンス、mシーケンス、またはZadoff−Chuシーケンスである、請求項10または11に記載の方法。
【請求項１４】
前記UEが、前記共通制御情報を検出するのに使用される前記セル制御参照情報を生成する前記ステップが、前記UEが、全部または一部のマップされるべきセル制御参照信号シーケンスを、事前設定マッピングパターンに基づいて前記N個のアンテナポートの前記1つ以上のRUにマップするステップ、をさらに含む、請求項9から13のいずれか一項に記載の方法。
【請求項１５】
前記UEが、全部または一部のマップされるべきセル制御参照信号シーケンスを、事前設定マッピングパターンに基づいて前記N個のアンテナポートの前記1つ以上のRUにマップする前記ステップが、前記UEが、全部または一部のマップされるべきセル制御参照信号シーケンスを、以下のパラメータ：前記1つ以上のRUのすべてのリソース要素の数、前記1つ以上のRUで前記セル制御参照情報を送信するのに使用されるすべてのリソース要素の数、前記1つ以上のRUの任意の1つで前記セル制御参照情報を送信するのに使用されるリソース要素の数、および前記1つ以上のRUの任意の1つによって占有されるリソース要素の数、のうちの1つに基づいて前記N個のアンテナポートの前記1つ以上のRUにマップするステップ、を含む、請求項14に記載の方法。
【請求項１６】
セル制御参照情報を送信するための基地局であって、前記基地局が、M個のアンテナポートと、送信機と、プロセッサと、メモリとを含み、
前記メモリが、前記プロセッサが実行することのできるプログラムコードを格納するように構成され、
前記プロセッサが、セル制御参照情報を生成するために前記メモリに格納された前記プログラムを実行し、請求項1〜7のいずれか一項に記載の方法で、共通制御情報と前記セル制御参照情報とをN個のアンテナポートのリソースユニットRUにマップし、前記N個のアンテナポートが前記M個のアンテナポートの一部である、ように構成され、
前記送信機が、前記1つ以上のRUと前記N個のアンテナポートとを使用して、前記共通制御情報と、前記共通制御情報を検出するのに使用される前記セル制御参照情報とを、前記基地局のカバレッジエリア内のUEに送信するように構成される、
基地局。
【請求項１７】
セル制御参照情報を受信するためのUEであって、前記UEが、アンテナと、受信機と、プロセッサと、メモリとを含み、
前記受信機が、前記アンテナを使用して、N個のアンテナポートの1つ以上のリソースユニットRU上で基地局によって送信された信号を受信し、前記信号が、共通制御情報と、前記共通制御情報を検出するのに使用されるセル制御参照情報とを含み、前記N個のアンテナポートが、前記基地局のM個のアンテナポートの一部であり、
前記メモリが、プログラムコードを格納するように構成され、
前記プロセッサが、前記共通制御情報を検出するのに使用されるセル制御参照情報を生成するために前記メモリに格納された前記プログラムコードを実行し、前記セル制御参照情報に基づいて、請求項9〜15のいずれか一項に記載の方法で、前記受信機によって受信された前記信号から前記共通制御情報を取得するように構成される、
UE。
【請求項１８】
コンピュータ可読媒体であって、前記媒体がコンピュータプログラムを格納し、前記コンピュータプログラムが基地局によって実行されると、前記基地局が請求項1〜8のいずれか一項に記載の方法を実施する、コンピュータ可読媒体。
【請求項１９】
コンピュータ可読媒体であって、前記媒体がコンピュータプログラムを格納し、前記コンピュータプログラムがユーザ機器によって実行されると、前記基地局が請求項9〜15のいずれか一項に記載の方法を実施する、コンピュータ可読媒体。
【手続補正２】
【補正対象書類名】明細書
【補正対象項目名】０００６
【補正方法】変更
【補正の内容】
【０００６】
CRS設計の初期（伝送モード1〜6）には、CRSは、ブロードキャストおよび制御信号のコヒーレント復調を担当するのみならず、ユーザ機器（UE）ごとのチャネル検出およびデータ信号のコヒーレント復調も担当する。したがって、CRSの受信側オブジェクトは、セル内のすべてのUEである。CRSは、UEごとの指向送信を行うことができない。その結果、マルチアンテナポートのシナリオにおいてアレイ利得を得ることができない。加えて、CRSはプリコーディング処理を行うことができないので、伝送解決策がUEにとっての非透過的プリコーディング方式にすぎない。これは、プリコーディング方式の柔軟性を減少させ、現在の伝送で使用されるプリコーディング行列を表すために、下りリンク制御シグナリングオーバヘッドを増加させる。総オーバヘッドのパーセンテージは14．3％である。
【手続補正３】
【補正対象書類名】明細書
【補正対象項目名】０００８
【補正方法】変更
【補正の内容】
【０００８】
CRSとは異なり、1つのアンテナポートに対応する2つのDMRSが、1対のPRB（物理リソースブロック；Physical Resource Block；通常は略してPRB）上の12個の同じRE（リソース要素；Resource Element）を共有する。2つのDMRSは、異なるOCC（直交カバーコード；Orthogonal Cover Code）を使用することによって相互に直交する。同じUEのデータストリームの2つのレイヤにおいては同じ擬似ランダム・ベース・シーケンスが使用され、直交性を保証するために異なるOCCが使用される。異なるUEからのデータストリームの2つのレイヤにおいては異なる擬似ランダム・ベース・シーケンスが使用される。異なるDMRSが、CDM（符号分割多重化；Code Division Multiplexing）方式でマップされる。より高次のMIMO（多入力多出力；Multiple−Input−Multiple−Output）伝送をサポートするために、拡張を容易に行うことができる。したがって、DMRSの4つのレイヤによって占有されるオーバヘッドとDMRSの8つのレイヤによって占有されるオーバヘッドとは同じであり、それらのパーセンテージはどちらも14．3％である。
【手続補正４】
【補正対象書類名】明細書
【補正対象項目名】００１０
【補正方法】変更
【補正の内容】
【００１０】
ここで言及したMIMO技術は、20世紀の終わりに業界に導入され、システム容量を効果的に改善できるために広く使用されてきた。特に、5G（第5世代；5th Generation）無線通信システムの発展と共に、M−MIMO（大規模多入力多出力；Massive Multiple−Input−Multiple−OutputまたはMassive MIMO）技術が注目を集め始めている。従来のMIMO技術と比較して、M−MIMO技術には、比較的単純な無線リソース割り振り、豊富な散乱環境が不要であること、単一アンテナポートで費用効果的なUEにサービスを提供できる能力などの利点がある。したがって、M−MIMOは、業界で広く注目を集めている。
【手続補正５】
【補正対象書類名】明細書
【補正対象項目名】００１５
【補正方法】変更
【補正の内容】
【００１５】
1つの可能な設計では、基地局が、擬似ランダムシーケンスに基づいてマップされるべきセル制御参照信号シーケンスを生成するステップは、具体的には、基地局が、以下の生成パラメータ：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル制御参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、のうちの1つ以上に基づいて、マップされるべきセル制御参照信号シーケンスを生成するステップである。複数のパラメータを使用してセル制御参照信号シーケンスを生成する前述の方式では、セルのセル制御参照信号シーケンスのより良好な直交性を可能な限り保証することができる。
【手続補正６】
【補正対象書類名】明細書
【補正対象項目名】００１６
【補正方法】変更
【補正の内容】
【００１６】
1つの可能な設計では、擬似ランダムシーケンスは以下のように初期設定され、
【数１１】
2019517202.tif 000082
、式中、
c（0）は、擬似ランダムシーケンスの初期値であり、nsは、基地局が共通制御情報およびセル制御参照情報を送信するときのサブフレームシーケンス番号であり、lは、基地局がセル制御参照情報を送信するときのサブフレーム内のセル制御参照情報のシンボルシーケンス番号であり、
【数１２】
2019517202.tif 000083
は、基地局が位置するセルのIDであり、p1は、1つ以上のRUの1つ以上のシーケンス番号であり、p2は、N個のアンテナポートのうちのアンテナポートのアンテナポート番号であり、p3は、基地局が共通制御情報およびセル制御参照情報を送信するときのフレームシーケンス番号であり、α1、α2、およびα3は、係数である。
【手続補正７】
【補正対象書類名】明細書
【補正対象項目名】００２０
【補正方法】変更
【補正の内容】
【００２０】
1つの可能な設計では、マップされるべきセル制御参照信号シーケンスをN個のアンテナポートの1つ以上のRUにマップするステップは、全部または一部のマップされるべきセル制御参照信号シーケンスを、事前設定マッピングパターンに基づいてN個のアンテナポートの1つ以上のRUにマップするステップ、を含む。
【手続補正８】
【補正対象書類名】明細書
【補正対象項目名】００２１
【補正方法】変更
【補正の内容】
【００２１】
1つの可能な設計では、全部または一部のマップされるべきセル制御参照信号シーケンスを、事前設定マッピングパターンに基づいてN個のアンテナポートの1つ以上のRUにマップするステップは、全部または一部のマップされるべきセル制御参照信号シーケンスを、以下のパラメータ：1つ以上のRUのすべてのリソース要素の数、1つ以上のRUでセル制御参照情報を送信するのに使用されるすべてのリソース要素の数、1つ以上のRUの任意の1つでセル制御参照情報を送信するのに使用されるリソース要素の数、および1つ以上のRUの任意の1つによって占有されるリソース要素の数、のうちの1つに基づいてN個のアンテナポートの1つ以上のRUにマップするステップ、を含む。
【手続補正９】
【補正対象書類名】明細書
【補正対象項目名】００２２
【補正方法】変更
【補正の内容】
【００２２】
1つの可能な設計では、マッピングパターンは、基地局によって、セル制御参照情報が位置する共通制御チャネルに関する以下の生成パラメータのうちの1つ以上に基づいて決定され、それらの生成パラメータには：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル制御参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、が含まれる。
【手続補正１０】
【補正対象書類名】明細書
【補正対象項目名】００３０
【補正方法】変更
【補正の内容】
【００３０】
1つの可能な設計では、UEが、共通制御情報を検出するのに使用されるセル制御参照情報を生成するステップは、UEが、擬似ランダムシーケンスに基づいてマップされるべきセル制御参照信号シーケンスを生成するステップ、を含む。
【手続補正１１】
【補正対象書類名】明細書
【補正対象項目名】００３１
【補正方法】変更
【補正の内容】
【００３１】
1つの可能な設計では、UEが、擬似ランダムシーケンスに基づいてマップされるべきセル制御参照信号シーケンスを生成するステップは、具体的には、UEが、以下の生成パラメータ：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル制御参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、のうちの1つ以上に基づいて、マップされるべきセル制御参照信号シーケンスを生成するステップである。
【手続補正１２】
【補正対象書類名】明細書
【補正対象項目名】００３２
【補正方法】変更
【補正の内容】
【００３２】
1つの可能な設計では、擬似ランダムシーケンスは以下のように初期設定され：
【数１３】
2019517202.tif 000084
、式中、
c（0）は、擬似ランダムシーケンスの初期値であり、nsは、UEが信号を受信するときのサブフレームシーケンス番号であり、lは、UEが信号を受信するときのサブフレーム内のセル制御参照情報のシンボルシーケンス番号であり、
【数１４】
2019517202.tif 000085
は、UEが位置するセルのIDであり、p1は、1つ以上のRUの1つ以上のシーケンス番号であり、p2は、N個のアンテナポートのうちのアンテナポートのアンテナポート番号であり、p3は、UEが信号を受信するときのフレームシーケンス番号であり、α1、α2、およびα3は、係数である。
【手続補正１３】
【補正対象書類名】明細書
【補正対象項目名】００３６
【補正方法】変更
【補正の内容】
【００３６】
1つの可能な設計では、UEが、共通制御情報を検出するのに使用されるセル制御参照情報を生成するステップは、UEが、全部または一部のマップされるべきセル制御参照信号シーケンスを、事前設定マッピングパターンに基づいてN個のアンテナポートの1つ以上のRUにマップするステップ、をさらに含む。
【手続補正１４】
【補正対象書類名】明細書
【補正対象項目名】００３７
【補正方法】変更
【補正の内容】
【００３７】
1つの可能な設計では、UEが、全部または一部のマップされるべきセル制御参照信号シーケンスを、事前設定マッピングパターンに基づいてN個のアンテナポートの1つ以上のRUにマップするステップは、UEが、全部または一部のマップされるべきセル制御参照信号シーケンスを、以下のパラメータ：1つ以上のRUのすべてのリソース要素の数、1つ以上のRUでセル制御参照情報を送信するのに使用されるすべてのリソース要素の数、1つ以上のRUの任意の1つでセル制御参照情報を送信するのに使用されるリソース要素の数、および1つ以上のRUの任意の1つによって占有されるリソース要素の数、のうちの1つに基づいてN個のアンテナポートの1つ以上のRUにマップするステップ、を含む。
【手続補正１５】
【補正対象書類名】明細書
【補正対象項目名】００３８
【補正方法】変更
【補正の内容】
【００３８】
1つの可能な設計では、マッピングパターンは、UEによって、セル制御参照情報が位置する共通制御チャネルに関する以下の生成パラメータのうちの1つ以上に基づいて決定され、それらの生成パラメータには：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル制御参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、が含まれうる。
【手続補正１６】
【補正対象書類名】明細書
【補正対象項目名】００４５
【補正方法】変更
【補正の内容】
【００４５】
1つの可能な設計では、プロセッサが、メモリに格納されたプログラムコードと擬似ランダムシーケンスとに基づいて、マップされるべきセル制御参照信号シーケンスを生成することは、具体的には、基地局が、以下の生成パラメータ：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル制御参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、のうちの1つ以上に基づいて、マップされるべきセル制御参照信号シーケンスを生成することである。
【手続補正１７】
【補正対象書類名】明細書
【補正対象項目名】００４６
【補正方法】変更
【補正の内容】
【００４６】
1つの可能な設計では、プロセッサは、擬似ランダムシーケンスを、メモリに格納されたプログラムコードに基づいて以下のように初期設定するようにさらに構成され、
【数１５】
2019517202.tif 000086
、式中、
c（0）は、擬似ランダムシーケンスの初期値であり、nsは、基地局が共通制御情報およびセル制御参照情報を送信するときのサブフレームシーケンス番号であり、lは、基地局がセル制御参照情報を送信するときのサブフレーム内のセル制御参照情報のシンボルシーケンス番号であり、
【数１６】
2019517202.tif 000087
は、基地局が位置するセルのIDであり、p1は、1つ以上のRUの1つ以上のシーケンス番号であり、p2は、N個のアンテナポートのうちのアンテナポートのアンテナポート番号であり、p3は、基地局が共通制御情報およびセル制御参照情報を送信するときのフレームシーケンス番号であり、α1、α2、およびα3は、係数である。
【手続補正１８】
【補正対象書類名】明細書
【補正対象項目名】００５０
【補正方法】変更
【補正の内容】
【００５０】
1つの可能な設計では、セル制御参照情報を、N個のアンテナポートの1つ以上のリソースユニットRUにマップすることは、全部または一部のマップされるべきセル制御参照信号シーケンスを、事前設定マッピングパターンに基づいてN個のアンテナポートの1つ以上のRUにマップすること、を含む。
【手続補正１９】
【補正対象書類名】明細書
【補正対象項目名】００５１
【補正方法】変更
【補正の内容】
【００５１】
1つの可能な設計では、全部または一部のマップされるべきセル制御参照信号シーケンスを、事前設定マッピングパターンに基づいてN個のアンテナポートの1つ以上のRUにマップすることは、全部または一部のマップされるべきセル制御参照信号シーケンスを、以下のパラメータ：1つ以上のRUのすべてのリソース要素の数、1つ以上のRUでセル制御参照情報を送信するのに使用されるすべてのリソース要素の数、1つ以上のRUの任意の1つでセル制御参照情報を送信するのに使用されるリソース要素の数、および1つ以上のRUの任意の1つによって占有されるリソース要素の数、のうちの1つに基づいてN個のアンテナポートの1つ以上のRUにマップすること、を含む。
【手続補正２０】
【補正対象書類名】明細書
【補正対象項目名】００５２
【補正方法】変更
【補正の内容】
【００５２】
1つの可能な設計では、マッピングパターンは、基地局によって、セル制御参照情報が位置する共通制御チャネルに関する以下の生成パラメータ：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル制御参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、のうちの1つ以上に基づいて決定される。
【手続補正２１】
【補正対象書類名】明細書
【補正対象項目名】００５８
【補正方法】変更
【補正の内容】
【００５８】
第4の態様によれば、アンテナと、受信機と、プロセッサと、メモリとを含む、セル制御参照情報を受信するためのUEが提供され、受信機は、アンテナを使用して、N個のアンテナポートの1つ以上のリソースユニットRU上で基地局によって送信された信号を受信し、信号は、共通制御情報と共通制御情報を検出するのに使用されるセル制御参照情報とを含み、N個のアンテナポートは、基地局のM個のアンテナポートの一部であり、
【手続補正２２】
【補正対象書類名】明細書
【補正対象項目名】００６２
【補正方法】変更
【補正の内容】
【００６２】
1つの可能な設計では、プロセッサが、メモリに格納されたプログラムコードと擬似ランダムシーケンスとに基づいて、マップされるべきセル制御参照信号シーケンスを生成することは、具体的には、プロセッサが、以下の生成パラメータ：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル制御参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、のうちの1つ以上に基づいて、マップされるべきセル制御参照信号シーケンスを生成することである。
【手続補正２３】
【補正対象書類名】明細書
【補正対象項目名】００６３
【補正方法】変更
【補正の内容】
【００６３】
1つの可能な設計では、プロセッサは、擬似ランダムシーケンスを、メモリに格納されたプログラムコードに基づいて以下のように初期設定するようにさらに構成され、
【数１７】
2019517202.tif 000088
、式中、
c（0）は、擬似ランダムシーケンスの初期値であり、nsは、受信機が信号を受信するときのサブフレームシーケンス番号であり、lは、受信機が信号を受信するときのサブフレーム内のセル制御参照情報のシンボルシーケンス番号であり、
【数１８】
2019517202.tif 000089
は、UEが位置するセルのIDであり、p1は、1つ以上のRUの1つ以上のシーケンス番号であり、p2は、N個のアンテナポートのうちのアンテナポートのアンテナポート番号であり、p3は、受信機が信号を受信するときのフレームシーケンス番号であり、α1、α2、およびα3は、係数である。
【手続補正２４】
【補正対象書類名】明細書
【補正対象項目名】００６７
【補正方法】変更
【補正の内容】
【００６７】
1つの可能な設計では、共通制御情報を検出するのに使用されるセル制御参照情報を生成することは、全部または一部のマップされるべきセル制御参照信号シーケンスを、事前設定マッピングパターンに基づいてN個のアンテナポートの1つ以上のRUにマップすること、を含む。
【手続補正２５】
【補正対象書類名】明細書
【補正対象項目名】００６８
【補正方法】変更
【補正の内容】
【００６８】
1つの可能な設計では、全部または一部のマップされるべきセル制御参照信号シーケンスを、事前設定マッピングパターンに基づいてN個のアンテナポートの1つ以上のRUにマップすることは、プロセッサが、全部または一部のマップされるべきセル制御参照信号シーケンスを、以下のパラメータ：1つ以上のRUのすべてのリソース要素の数、1つ以上のRUでセル制御参照情報を送信するのに使用されるすべてのリソース要素の数、1つ以上のRUの任意の1つでセル制御参照情報を送信するのに使用されるリソース要素の数、および1つ以上のRUの任意の1つによって占有されるリソース要素の数、のうちの1つに基づいてN個のアンテナポートの1つ以上のRUにマップすること、を含む。
【手続補正２６】
【補正対象書類名】明細書
【補正対象項目名】００６９
【補正方法】変更
【補正の内容】
【００６９】
1つの可能な設計では、マッピングパターンは、プロセッサによって、セル制御参照情報が位置する共通制御チャネルに関する以下の生成パラメータ：N個のアンテナポートのポート番号、1つ以上のRUの特定の数、1つ以上のRUの任意の1つで占有されるサブキャリアの数、1つ以上のRUの任意の1つで占有されるREの数、UEが位置するセルのID、基地局がセル制御参照情報を送信するときの時間周波数情報（フレームシーケンス番号、サブフレームシーケンス番号、サブフレーム内のシンボルシーケンス番号、サブキャリアシーケンス番号、1つ以上のRUの1つ以上のシーケンス番号、およびサブバンドシーケンス番号を含むがこれに限定されない）、ならびに1つ以上のRUの任意の1つでセル制御参照情報によって占有されるサブキャリアの数、のうちの1つ以上に基づいて決定される。
【手続補正２７】
【補正対象書類名】明細書
【補正対象項目名】０１０７
【補正方法】変更
【補正の内容】
【０１０７】
N個のアンテナポートの1つ以上のRU上で基地局によって送信された信号を受信する前に、UEは、共通制御情報を検出するのに使用されるセル制御参照情報（例えば、マップされるべきセル制御参照信号シーケンス）を生成し、次いで、UEは、UEによって生成されたセル制御参照情報に基づいて、基地局によって送信された信号から共通制御情報を取得しうる。
【手続補正２８】
【補正対象書類名】明細書
【補正対象項目名】０１０８
【補正方法】変更
【補正の内容】
【０１０８】
基地局（またはUE）は、既存のLTEプロトコルに基づいて、または以下の生成パラメータのうちの1つ以上に基づいて、マップされるべきセル制御参照信号シーケンスを生成しうる：擬似ランダムシーケンス、CCRSシーケンスを送信するのに使用されるアンテナポート番号、CCRSシーケンスが位置するRUの特定の数、CCRSシーケンスによって占有されるRUのうちの任意の1つで占有されるサブキャリアの数、CCRSシーケンスによって占有されるRUのうちの任意の1つで占有されるREの数、基地局またはUEが位置するセルのID、CCRSシーケンスが送信されるときの時間周波数情報（フレームシーケンス番号、サブフレームシーケンス番号、サブフレーム内のシンボルシーケンス番号、サブキャリアシーケンス番号、1つ以上のRUのシーケンス番号、およびサブバンドシーケンス番号を含むがこれに限定されない）、ならびに任意の占有されたRUにおいてCCRSシーケンスによって占有されるサブキャリアの数。
【手続補正２９】
【補正対象書類名】明細書
【補正対象項目名】０１１６
【補正方法】変更
【補正の内容】
【０１１６】
（3）マップされるべきCCRSシーケンスは、事前設定マッピングパターン、すなわち、N個のアンテナポートの1つ以上のリソースユニットRUに基づいて時間周波数リソースにマップされる。例えば、基地局（またはUE）は、全部または一部のマップされるべきセル制御参照信号シーケンスを、以下のパラメータ：1つ以上のRUのすべてのリソース要素の数、1つ以上のRUでセル制御参照情報を送信するのに使用されるすべてのリソース要素の数、1つ以上のRUの任意の1つでセル制御参照情報を送信するのに使用されるすべてのリソース要素の数、ならびに1つ以上のRUの任意の1つによって占有されるリソース要素の数、のうちの1つに基づいてN個のアンテナポートの1つ以上のRUにマップしうる。以下では、説明に具体例を使用する。
【手続補正３０】
【補正対象書類名】明細書
【補正対象項目名】０１３１
【補正方法】変更
【補正の内容】
【０１３１】
各フレームの偶数サブフレームで、基地局は、N＝1個のアンテナポートを使用して同期シーケンスが位置する周波数帯域の中間にある2つのRUで、図5aのパターンに基づいて生成モード1で得られたCCRSシーケンスを送信する。UEは、基地局にアクセスする前に表1のこれらの生成パラメータに関する情報をすでに知っているので、基地局は、UEに事前に通知しなくてもよい。したがって、UEは、N＝1に基づいて、図5aのパターンと各フレームの偶数サブフレームとに基づく生成モード1のCCRSシーケンスを取得し、同期シーケンスが位置する周波数帯域の中間にある2つのRU上で、基地局と同期した後にN＝1の方式でCCRSシーケンスが位置するRUにおいてCCRSシーケンスを検出する。
【手続補正３１】
【補正対象書類名】明細書
【補正対象項目名】０１４９
【補正方法】変更
【補正の内容】
【０１４９】
受信機220は、アンテナ210を使用して、N個のアンテナポートの1つ以上のリソースユニットRU上で基地局によって送信された信号を受信し、信号は、共通制御情報とCCRSシーケンスとを含む。
【国際調査報告】
2019517202.tif 000090
2019517202.tif 000091
2019517202.tif 000092
2019517202.tif 000093